(57)【特許請求の範囲】
【請求項１】
サービス冗長方法であって、
ユーザ機器（ＵＥ）がアタッチされたモビリティ管理エンティティ（ＭＭＥ）が故障した後、サービングＭＭＥによって、進化型ノードＢ（ｅＮｏｄｅＢ）を使用することによって前記ＵＥにより送信されたサービス要求メッセージを受信することであって、前記サービス要求メッセージは、前記ＵＥのためにサービスを提供するように、前記ＵＥがアタッチされたＭＭＥに要求するために使用され、前記サービングＭＭＥは、前記ＵＥがアタッチされた前記ＭＭＥが故障した後、前記ＵＥのためにサービスを提供するように、前記ｅＮｏｄｅＢによって選択されたＭＭＥであり、前記ＵＥがアタッチされた前記ＭＭＥ、および前記サービングＭＭＥは、同じＭＭＥプールに配置されている、受信することと、
前記サービングＭＭＥによって、バックアップＭＭＥから前記ＵＥのユーザ情報を獲得することと、
前記サービングＭＭＥによって、前記ＵＥの前記ユーザ情報に基づいて、前記ＵＥのために前記サービス要求メッセージに対応する前記サービスを提供することと
を含むことを特徴とするサービス冗長方法。
【請求項２】
前記サービス要求メッセージは、前記ＵＥの識別、および前記ＵＥがアタッチされた前記ＭＭＥの識別を含み、前記サービングＭＭＥによって、バックアップＭＭＥから前記ＵＥのユーザ情報を獲得することは、
前記サービングＭＭＥによって、前記前記ＵＥの前記識別に基づいて、または前記ＵＥの前記識別および前記ＵＥがアタッチされた前記ＭＭＥの前記識別に基づいて決定された前記バックアップＭＭＥから、前記ＵＥのユーザ情報を獲得することを含むことを特徴とする請求項１に記載のサービス冗長方法。
【請求項３】
前記ＵＥがアタッチされた前記ＭＭＥが故障する前に、前記方法は、
前記サービングＭＭＥによって、前記ＵＥがアタッチされた前記ＭＭＥにより送信された前記ＵＥの前記ユーザ情報および前記ＵＥの前記識別を受信し、前記ＵＥの前記ユーザ情報と前記ＵＥの前記識別との間の対応関係を記録することをさらに含み、
そして、前記サービングＭＭＥによって、前記ＵＥの前記識別に基づいて、または前記ＵＥの前記識別および前記ＵＥがアタッチされた前記ＭＭＥの前記識別に基づいて決定された前記バックアップＭＭＥから、前記ＵＥのユーザ情報を前記獲得することは、
前記サービングＭＭＥによって、前記ＵＥの前記識別に基づいて、前記ＵＥの前記ユーザ情報が前記サービングＭＭＥに記憶されており、前記サービングＭＭＥが前記バックアップＭＭＥであると決定することと、
前記サービングＭＭＥによって、前記ＵＥの前記識別に基づいて、前記ＵＥの前記ユーザ情報であって前記サービングＭＭＥによって保存された前記ユーザ情報を獲得することを特に含む
ことを特徴とする請求項２に記載の方法。
【請求項４】
前記サービングＭＭＥによって、前記ＵＥの前記識別に基づいて、または前記ＵＥの前記識別および前記ＵＥがアタッチされた前記ＭＭＥの前記識別に基づいて決定された前記バックアップＭＭＥから、前記ＵＥのユーザ情報を前記獲得することは、
前記サービングＭＭＥによって、前記ＵＥの前記識別に基づいて、前記ＵＥの前記ユーザ情報が前記サービングＭＭＥに記憶されておらず、前記サービングＭＭＥが前記バックアップＭＭＥではないと決定することと、
前記サービングＭＭＥによって、前記ＵＥがアタッチされた前記ＭＭＥの前記識別に基づいて、前記ＵＥがアタッチされた前記ＭＭＥのバックアップＭＭＥのインターフェース情報を獲得することと、前記バックアップＭＭＥから、前記ＵＥの前記識別、および前記バックアップＭＭＥの前記インターフェース情報に基づいて、前記ＵＥの前記ユーザ情報を獲得することであって、前記バックアップＭＭＥおよび前記サービングＭＭＥは、同じＭＭＥプールに配置されている、獲得することとを含むことを特徴とする請求項２に記載の方法。
【請求項５】
前記ＵＥがアタッチされた前記ＭＭＥの前記識別は、前記ＵＥがアタッチされた前記ＭＭＥのＭＭＥコード（ＭＭＥＣ）であり、
前記サービングＭＭＥによって、前記ＵＥがアタッチされた前記ＭＭＥの前記識別に基づいて、前記ＵＥがアタッチされた前記ＭＭＥのバックアップＭＭＥのインターフェース情報を前記獲得することは、
前記サービングＭＭＥによって、要求メッセージをドメインネームシステム（ＤＮＳ）サーバに送信することであって、前記要求メッセージは、前記サービングＭＭＥが配置されたＭＭＥプールのプール識別を含み、前記要求メッセージは、前記ＭＭＥプール内の全てのＭＭＥのＭＭＥコード（ＭＭＥＣ）を獲得することを要求するために使用される、送信することと、
前記サービングＭＭＥによって、前記ＤＮＳサーバにより送信された要求応答メッセージを受信することであって、前記要求応答メッセージは、前記ＭＭＥプール内の前記全てのＭＭＥの前記ＭＭＥＣを含む、受信することと、
前記サービングＭＭＥによって、前記ＵＥがアタッチされた前記ＭＭＥの前記ＭＭＥＣ、および前記全てのＭＭＥの前記ＭＭＥＣに基づいて、ならびに予め設定されたポリシーに基づいて、前記ＵＥがアタッチされた前記ＭＭＥの前記バックアップＭＭＥを獲得し、インターフェース要求メッセージを前記ＤＮＳサーバに送信することであって、前記インターフェース要求メッセージは、前記バックアップＭＭＥのＭＭＥＣ、および前記ＭＭＥプールの前記プール識別を含み、したがって、前記ＤＮＳサーバが、前記ＭＭＥプールの前記プール識別、および前記バックアップＭＭＥの前記ＭＭＥＣに基づいて、前記バックアップＭＭＥの前記インターフェース情報を獲得するようになる、送信することと、
前記サービングＭＭＥによって、前記ＤＮＳサーバにより送信されたインターフェース応答メッセージを受信することであって、前記インターフェース応答メッセージは、前記バックアップＭＭＥの前記インターフェース情報を含む、受信することと
を特に含むことを特徴とする請求項４に記載の方法。
【請求項６】
前記サービス要求メッセージは、前記ＵＥのボイスオーバーロングタームエボリューション（ＶｏＬＴＥ）モバイル発信サービス要求メッセージ、もしくは前記ＵＥの回線交換フォールバック（ＣＳＦＢ）要求メッセージ、もしくは前記ＵＥの１ｘＣＳＦＢ要求メッセージであり、前記ＵＥがアタッチされた前記ＭＭＥの識別は、前記ＵＥがアタッチされた前記ＭＭＥのＭＭＥＣであり、または、
前記サービス要求メッセージは、前記ＵＥの位置登録（ＴＡＵ）要求メッセージであり、前記ＵＥがアタッチされた前記ＭＭＥの前記識別は、前記ＵＥがアタッチされた前記ＭＭＥによって前記ＵＥに割り当てられたＧＵＴＩ（globally unique temporary identity）であり、前記ＧＵＴＩは、前記ＵＥがアタッチされた前記ＭＭＥの前記ＭＭＥＣを含む
ことを特徴とする請求項１乃至５のいずれか一項に記載の方法。
【請求項７】
前記サービングＭＭＥによって、前記ＵＥのユーザ情報を獲得した後、前記方法は、
前記サービングＭＭＥによって、前記ＵＥの前記ユーザ情報に基づいて、前記ＵＥが許可されたユーザであることを決定することと、
前記サービングＭＭＥによって、前記サービングＭＭＥに接続されたサービングゲートウェイ（ＳＧＷ）およびホーム加入者サーバ（ＨＳＳ）に対して、修正要求メッセージを別々に送信することであって、前記修正要求メッセージは、前記ＵＥの識別を含み、前記修正要求メッセージは、前記ＵＥと前記ＵＥがアタッチされた前記ＭＭＥとの間の対応関係を前記ＵＥと前記サービングＭＭＥとの間の対応関係に修正するように、前記ＳＧＷまたは前記ＨＳＳに要求するために使用される、送信することと、
前記サービングＭＭＥによって、ＧＵＴＩを前記ＵＥに再割り当てし、前記再割り当てされたＧＵＴＩを前記ＵＥに送信し、したがって、前記ＵＥが前記サービングＭＭＥにアタッチされるようになる、ことと
をさらに含むことを特徴とする請求項１乃至６のいずれか一項に記載の方法。
【請求項８】
サービス冗長方法であって、
モビリティ管理エンティティＭＭＥによって、要求メッセージをドメインネームシステム（ＤＮＳ）サーバに送信することであって、前記要求メッセージは、前記ＭＭＥが配置されたＭＭＥプールのプール識別を含み、前記要求メッセージは、前記ＭＭＥプール内の全てのＭＭＥのＭＭＥコード（ＭＭＥＣ）を獲得することを要求するために使用される、送信することと、
前記ＭＭＥによって、前記ＤＮＳサーバにより送信された要求応答メッセージを受信することであって、前記要求応答メッセージは、前記ＭＭＥプール内の前記全てのＭＭＥの前記ＭＭＥＣを含む、受信することと、
前記ＭＭＥによって、前記ＭＭＥプール内の前記全てのＭＭＥの前記ＭＭＥＣに基づいて、および予め設定されたポリシーに基づいて、前記ＭＭＥのバックアップＭＭＥを決定することと、
前記ＭＭＥによって、インターフェース要求メッセージを前記ＤＮＳサーバに送信することであって、前記インターフェース要求メッセージは、前記バックアップＭＭＥのＭＭＥＣ、および前記ＭＭＥプールの前記プール識別を含み、前記インターフェース要求メッセージは、前記バックアップＭＭＥのインターフェース情報を獲得することを要求するために使用される、送信することと、
前記ＭＭＥによって、前記ＤＮＳサーバにより送信されたインターフェース応答メッセージを受信することであって、前記インターフェース応答メッセージは、前記バックアップＭＭＥの前記インターフェース情報を含む、受信することと、
前記ＭＭＥによって、前記バックアップＭＭＥの前記インターフェース情報に基づいて、前記ＭＭＥにアタッチされたユーザ機器（ＵＥ）のユーザ情報を前記バックアップＭＭＥに送信することと
を含むことを特徴とするサービス冗長方法。
【請求項９】
前記ＭＭＥによって、前記ＭＭＥプール内の前記全てのＭＭＥの前記ＭＭＥＣに基づいて、および予め設定されたポリシーに基づいて、前記ＭＭＥのバックアップＭＭＥを前記決定することは、
前記ＭＭＥによって、前記ＭＭＥＣの昇順に基づいて、前記ＭＭＥプール内の前記全てのＭＭＥの前記ＭＭＥＣをソートして、ソート結果を取得することと、
前記ＭＭＥによって、前記ＭＭＥのＭＭＥＣに隣接し前記ＭＭＥの前記ＭＭＥＣよりも大きいＭＭＥＣに対応するＭＭＥを、前記バックアップＭＭＥとして使用し、前記ＭＭＥの前記ＭＭＥＣが前記ソート結果において最も大きい場合、前記ＭＭＥによって、前記ソート結果においてＭＭＥＣが最も小さいＭＭＥを、前記バックアップＭＭＥとして使用することと
を特に含むことを特徴とする請求項８に記載の方法。
【請求項１０】
前記ＭＭＥによって、前記バックアップＭＭＥの前記インターフェース情報に基づいて、前記ＭＭＥにアタッチされた前記ＵＥのユーザ情報を前記バックアップＭＭＥに前記送信することは、
前記ＭＭＥによって、前記バックアップＭＭＥの前記インターフェース情報に対応するインターフェースを使用することにより、バックアップ要求メッセージを前記バックアップＭＭＥに送信することであって、前記バックアップ要求メッセージは、前記ＵＥの識別、および前記ＵＥの前記ユーザ情報を含み、前記バックアップ要求メッセージは、前記ＵＥの前記ユーザ情報をバックアップするように前記バックアップＭＭＥに要求するために使用される、送信することを特に含むことを特徴とする請求項８または９に記載の方法。
【請求項１１】
サービングモビリティ管理エンティティ（ＭＭＥ）であって、前記サービングＭＭＥは、受信ユニット、獲得ユニット、およびサービングユニットを備え、
前記受信ユニットは、ユーザ機器（ＵＥ）がアタッチされたモビリティ管理エンティティ（ＭＭＥ）が故障した後、進化型ノードＢ（ｅＮｏｄｅＢ）を使用することによって前記ＵＥにより送信されたサービス要求メッセージを受信するように構成され、前記サービス要求メッセージは、前記ＵＥのためにサービスを提供するように、前記ＵＥがアタッチされたＭＭＥに要求するために使用され、前記サービングＭＭＥは、前記ＵＥがアタッチされた前記ＭＭＥが故障した後、前記ＵＥのためにサービスを提供するように、前記ｅＮｏｄｅＢによって選択されたＭＭＥであり、前記ＵＥがアタッチされた前記ＭＭＥ、および前記サービングＭＭＥは、同じＭＭＥプールに配置されており、
前記獲得ユニットは、バックアップＭＭＥから、前記ＵＥのユーザ情報を獲得するように構成され、
前記サービングユニットは、前記ＵＥの前記ユーザ情報に基づいて、前記ＵＥのために前記サービス要求メッセージに対応する前記サービスを提供するように構成される
ことを特徴とするサービングモビリティ管理エンティティ（ＭＭＥ）。
【請求項１２】
前記サービス要求メッセージは、前記ＵＥの識別、および前記ＵＥがアタッチされた前記ＭＭＥの識別を含み、前記獲得ユニットは、
前記前記ＵＥの前記識別に基づいて、または前記ＵＥの前記識別および前記ＵＥがアタッチされた前記ＭＭＥの前記識別に基づいて決定された前記バックアップＭＭＥから、前記ＵＥのユーザ情報を獲得するように特に構成されることを特徴とする請求項１１に記載のサービングＭＭＥ。
【請求項１３】
前記受信ユニットは、前記ＵＥがアタッチされた前記ＭＭＥにより送信された前記ＵＥの前記ユーザ情報および前記ＵＥの前記識別を受信し、前記ＵＥの前記ユーザ情報と前記ＵＥの前記識別との間の対応関係を記録するようにさらに構成され、
前記獲得ユニットは、
前記ＵＥの前記識別に基づいて、前記ＵＥの前記ユーザ情報が前記サービングＭＭＥに記憶されており、前記サービングＭＭＥが前記バックアップＭＭＥであると決定し、
前記ＵＥの前記識別に基づいて、前記ＵＥの前記ユーザ情報であって前記サービングＭＭＥによって保存された前記ユーザ情報を獲得するように特に構成される
ことを特徴とする請求項１２に記載のサービングＭＭＥ。
【請求項１４】
前記獲得ユニットは、
前記ＵＥの前記識別に基づいて、前記ＵＥの前記ユーザ情報が前記サービングＭＭＥに記憶されておらず、前記サービングＭＭＥが前記バックアップＭＭＥではないと決定し、
前記ＵＥがアタッチされた前記ＭＭＥの前記識別に基づいて、前記ＵＥがアタッチされた前記ＭＭＥのバックアップＭＭＥのインターフェース情報を獲得し、前記バックアップＭＭＥから、前記ＵＥの前記識別、および前記バックアップＭＭＥの前記インターフェース情報に基づいて、前記ＵＥの前記ユーザ情報を獲得するように特に構成され、前記バックアップＭＭＥおよび前記サービングＭＭＥは、同じＭＭＥプールに配置されていることを特徴とする請求項１２に記載のサービングＭＭＥ。
【請求項１５】
前記ＵＥがアタッチされた前記ＭＭＥの前記識別は、前記ＵＥがアタッチされた前記ＭＭＥのＭＭＥコード（ＭＭＥＣ）であり、前記獲得ユニットは、
要求メッセージをドメインネームシステム（ＤＮＳ）サーバに送信することであって、前記要求メッセージは、前記サービングＭＭＥが配置されたＭＭＥプールのプール識別を含み、前記要求メッセージは、前記ＭＭＥプール内の全てのＭＭＥのＭＭＥコード（ＭＭＥＣ）を獲得することを要求するために使用される、送信することと、
前記ＤＮＳサーバにより送信された要求応答メッセージを受信することであって、前記要求応答メッセージは、前記ＭＭＥプール内の前記全てのＭＭＥの前記ＭＭＥＣを含む、受信することと、
前記ＵＥがアタッチされた前記ＭＭＥの前記ＭＭＥＣ、および前記全てのＭＭＥの前記ＭＭＥＣに基づいて、ならびに予め設定されたポリシーに基づいて、前記ＵＥがアタッチされた前記ＭＭＥの前記バックアップＭＭＥを獲得することと、
インターフェース要求メッセージを前記ＤＮＳサーバに送信することであって、前記インターフェース要求メッセージは、前記バックアップＭＭＥのＭＭＥＣ、および前記ＭＭＥプールの前記プール識別を含み、したがって、前記ＤＮＳサーバが、前記ＭＭＥプールの前記プール識別、および前記バックアップＭＭＥの前記ＭＭＥＣに基づいて、前記バックアップＭＭＥの前記インターフェース情報を獲得するようになる、送信することと、
前記ＤＮＳサーバにより送信されたインターフェース応答メッセージを受信することであって、前記インターフェース応答メッセージは、前記バックアップＭＭＥの前記インターフェース情報を含む、受信することと
を行うように特に構成されることを特徴とする請求項１４に記載のサービングＭＭＥ。
【請求項１６】
前記サービス要求メッセージは、前記ＵＥのボイスオーバーロングタームエボリューション（ＶｏＬＴＥ）モバイル発信サービス要求メッセージ、もしくは前記ＵＥの回線交換フォールバック（ＣＳＦＢ）要求メッセージ、もしくは前記ＵＥの１ｘＣＳＦＢ要求メッセージであり、前記ＵＥがアタッチされた前記ＭＭＥの識別は、前記ＵＥがアタッチされた前記ＭＭＥのＭＭＥＣであり、または、
前記サービス要求メッセージは、前記ＵＥの位置登録（ＴＡＵ）要求メッセージであり、前記ＵＥがアタッチされた前記ＭＭＥの前記識別は、前記ＵＥがアタッチされた前記ＭＭＥによって前記ＵＥに割り当てられたグローバル一意一時アイデンティティ（ＧＵＴＩ）であり、前記ＧＵＴＩは、前記ＵＥがアタッチされた前記ＭＭＥの前記ＭＭＥＣを含む
ことを特徴とする請求項１１乃至１５のいずれか一項に記載のサービングＭＭＥ。
【請求項１７】
前記サービングＭＭＥは、決定ユニットおよび送信ユニットをさらに備え、
前記決定ユニットは、前記ＵＥの前記ユーザ情報に基づいて、前記ＵＥが許可されたユーザであることを決定するように構成され、
前記送信ユニットは、前記サービングＭＭＥに接続されたサービングゲートウェイ（ＳＧＷ）およびホーム加入者サーバ（ＨＳＳ）に対して、修正要求メッセージを別々に送信するように構成され、前記修正要求メッセージは、前記ＵＥの識別を含み、前記修正要求メッセージは、前記ＵＥと前記ＵＥがアタッチされた前記ＭＭＥとの間の対応関係を前記ＵＥと前記サービングＭＭＥとの間の対応関係に修正するように、前記ＳＧＷまたは前記ＨＳＳに要求するために使用され、前記送信ユニットは、ＧＵＴＩを前記ＵＥに再割り当てし、前記再割り当てされたＧＵＴＩを前記ＵＥに送信するようにさらに構成され、したがって、前記ＵＥが前記サービングＭＭＥにアタッチされるようになる
ことを特徴とする請求項１１乃至１６のいずれか一項に記載のサービングＭＭＥ。
【請求項１８】
モビリティ管理エンティティ（ＭＭＥ）であって、前記ＭＭＥは、送信ユニット、受信ユニット、および決定ユニットを備え、
前記送信ユニットは、要求メッセージをドメインネームシステム（ＤＮＳ）サーバに送信するように構成され、前記要求メッセージは、前記ＭＭＥが配置されたＭＭＥプールのプール識別を含み、前記要求メッセージは、前記ＭＭＥプール内の全てのＭＭＥのＭＭＥコード（ＭＭＥＣ）を獲得することを要求するために使用され、
前記受信ユニットは、前記ＤＮＳサーバにより送信された要求応答メッセージを受信するように構成され、前記要求応答メッセージは、前記ＭＭＥプール内の全てのＭＭＥのＭＭＥＣを含み、
前記決定ユニットは、前記ＭＭＥプール内の全てのＭＭＥのＭＭＥＣに基づいて、および予め設定されたポリシーに基づいて、前記ＭＭＥのバックアップＭＭＥを決定するように構成され、
前記送信ユニットは、インターフェース要求メッセージを前記ＤＮＳサーバに送信するようにさらに構成され、前記インターフェース要求メッセージは、前記バックアップＭＭＥのＭＭＥＣ、および前記ＭＭＥプールのプール識別を含み、前記インターフェース要求メッセージは、前記バックアップＭＭＥのインターフェース情報を獲得することを要求するために使用され、
前記受信ユニットは、前記ＤＮＳサーバにより送信されたインターフェース応答メッセージを受信するようにさらに構成され、前記インターフェース応答メッセージは、前記バックアップＭＭＥのインターフェース情報を含み、
前記送信ユニットは、前記バックアップＭＭＥの前記インターフェース情報に基づいて、前記ＭＭＥにアタッチされたユーザ機器（ＵＥ）のユーザ情報を前記バックアップＭＭＥに送信するようにさらに構成されることを特徴とするＭＭＥ。
【請求項１９】
前記決定ユニットは、
前記ＭＭＥＣの昇順に基づいて、前記ＭＭＥプール内の全ての前記ＭＭＥの前記ＭＭＥＣをソートして、ソート結果を取得し、
前記ＭＭＥのＭＭＥＣに隣接し前記ＭＭＥの前記ＭＭＥＣよりも大きい前記ＭＭＥＣに対応するＭＭＥを、前記バックアップＭＭＥとして使用し、前記ＭＭＥの前記ＭＭＥＣがソート結果において最も大きい場合、前記ソート結果においてＭＭＥＣが最も小さいＭＭＥを、前記バックアップＭＭＥとして使用する
ように特に構成されることを特徴とする請求項１８に記載のＭＭＥ。
【請求項２０】
前記送信ユニットは、
前記バックアップＭＭＥのインターフェース情報に対応するインターフェースを使用することによって、バックアップ要求メッセージを前記バックアップＭＭＥに送信するように特に構成され、前記バックアップ要求メッセージは、前記ＵＥの識別、および前記ＵＥの前記ユーザ情報を含み、前記バックアップ要求メッセージは、前記ＵＥのユーザ情報をバックアップするように前記バックアップＭＭＥに要求するために使用されることを特徴とする請求項１８または１９に記載のＭＭＥ。
【発明の詳細な説明】
【技術分野】
【０００１】
本発明は、通信技術の分野に関し、詳細には、サービス冗長方法および関係付けられた装置に関する。
【背景技術】
【０００２】
ロングタームエボリューション（Long Term Evolution、ＬＴＥ）ネットワークアーキテクチャでは、モビリティ管理エンティティ（Mobility Management Entity、ＭＭＥ）プール（Pool）内の複数のＭＭＥが、同じ無線エリアを同時にサービングし、ＭＭＥプール内の各ＭＭＥは、ＭＭＥプール内の全ての基地局と相互接続され、ＭＭＥプール内のＭＭＥは、リソースを共有し、サービス負荷を共有する。
【０００３】
ＭＭＥプール内のＭＭＥが故障したときに、故障したＭＭＥにアタッチされたユーザ機器（User Equipment、ＵＥ）が能動的にサービス要求を開始する場合、ＵＥにサービングする基地局は、予め設定されたポリシー、たとえば、ロードバランシング原理を使用することによって、ＵＥのサービス要求を、ＭＭＥプール内の正常に動作する別のＭＭＥに送信するが、その正常に動作するＭＭＥはＵＥのサービス要求を拒否し、ＵＥは、正常に動作するＭＭＥに対して再アタッチして、サービス復旧を実現する必要があり、それにより、ＭＭＥプール内のＭＭＥ間の冗長性を実現する。
【０００４】
しかしながら、従来技術で提供される解決策の冗長効果は比較的低く、たとえば、ＵＥが、ボイスオーバーロングタームエボリューション（Voice over LTE、ＶｏＬＴＥ）モバイルで発信されるサービス（以下、ＶｏＬＴＥモバイル発信サービス）を開始する必要があり、ＵＥがアタッチされたＭＭＥが、故障したとき、ＵＥのためにサービスを提供する基地局は、ＵＥのＶｏＬＴＥモバイル発信サービス要求メッセージを、ＭＭＥプール内の新しいＭＭＥに送信するが、新しいＭＭＥは、ＵＥのＶｏＬＴＥモバイル発信サービス要求を拒否する。そのサービス要求が拒否されたＵＥは、アタッチ手順を再開することによって新しいＭＭＥにアタッチし、ＶｏＬＴＥモバイル発信サービスを再開し、そして、新しいＭＭＥが、ＵＥのＶｏＬＴＥモバイル発信サービスのためにサービスを提供する。このため、ＵＥのＶｏＬＴＥモバイル発信サービスが一度で成功できない。加えて、ＭＭＥが故障した後、故障したＭＭＥにアタッチされた全てのＵＥにより開始されたサービス要求が、ネットワーク側によって拒否され、それが、これらのＵＥの新しいアタッチ手順をトリガし、比較的短い時間に多数のユーザにより生成されたアタッチ手順は、ＬＴＥネットワークにおけるホーム加入者サーバ（Home Subscriber Server、ＨＳＳ）などの他のネットワーク要素に対して大きなシグナリングの影響を与え、ＨＳＳ輻輳をもたらす。ＨＳＳは、ネットワーク全体におけるクリティカルノードであり、ＨＳＳ輻輳は、ユーザによるネットワークへのアクセスの失敗、またはＶｏＬＴＥ通話成功率の大幅な低下をもたらす。
【発明の概要】
【０００５】
本発明の実施形態は、既存の冗長性解決策の冗長効果が比較的低いという問題を解決する、サービス冗長方法および関係付けられた装置を提供する。
【０００６】
上記の目的を達成するために、本発明の実施形態において以下の技術的解決策が採用される。
【０００７】
第１の態様によれば、本発明の実施形態はサービス冗長方法を提供し、この方法は、
モビリティ管理エンティティＭＭＥによって、要求メッセージをドメインネームシステムＤＮＳサーバに送信することであって、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用される、送信することと、
ＭＭＥによって、ＤＮＳサーバにより送信された要求応答メッセージを受信することであって、要求応答メッセージは、ＭＭＥプール内の全てのＭＭＥのＭＭＥＣを含む、受信することと、
ＭＭＥによって、ＭＭＥプール内の全てのＭＭＥのＭＭＥＣに基づいて、および予め設定されたポリシーに基づいて、ＭＭＥのバックアップＭＭＥを決定することと、
ＭＭＥによって、インターフェース要求メッセージをＤＮＳサーバに送信することであって、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用される、送信することと、
ＭＭＥによって、ＤＮＳサーバにより送信されたインターフェース応答メッセージを受信することであって、インターフェース応答メッセージは、バックアップＭＭＥのインターフェース情報を含む、受信することと、
ＭＭＥによって、バックアップＭＭＥのインターフェース情報に基づいて、ＭＭＥにアタッチされたユーザ機器ＵＥのユーザ情報をバックアップＭＭＥに送信することと
を含む。
【０００８】
第２の態様によれば、本発明の実施形態はサービス冗長方法を提供し、この方法は、
ドメインネームシステムＤＮＳサーバによって、モビリティ管理エンティティＭＭＥにより送信された要求メッセージを受信することであって、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用される、受信することと、
ＤＮＳサーバによって、ＭＭＥプールのプール識別に基づいて、ＭＭＥプールのプール識別に対応するＭＭＥプール内の全てのＭＭＥのＭＭＥＣを獲得し、要求応答メッセージをＭＭＥに送信することであって、要求応答メッセージは、全てのＭＭＥのＭＭＥＣを含み、したがって、ＭＭＥが、全てのＭＭＥのＭＭＥＣに基づいて、ＭＭＥのバックアップＭＭＥを決定するようになる、送信することと、
ＤＮＳサーバによって、ＭＭＥにより送信されたインターフェース要求メッセージを受信することであって、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用される、受信することと、
ＤＮＳサーバによって、バックアップＭＭＥのＭＭＥＣ、およびＭＭＥプールのプール識別に基づいて、バックアップＭＭＥのインターフェース情報を獲得し、インターフェース応答メッセージをＭＭＥに送信することであって、インターフェース応答メッセージは、バックアップＭＭＥのインターフェース情報を含み、したがって、ＭＭＥが、バックアップＭＭＥのインターフェース情報に基づいて、ＭＭＥにアタッチされたユーザ機器ＵＥのユーザ情報をバックアップＭＭＥに送信するようになる、送信することと
を含む。
【０００９】
第３の態様によれば、本発明の実施形態はサービス冗長方法を提供し、この方法は、
ユーザ機器ＵＥがアタッチされたモビリティ管理エンティティＭＭＥが故障した後、サービングＭＭＥによって、進化型ノードＢ  ｅＮｏｄｅＢを使用することによってＵＥにより送信されたサービス要求メッセージを受信することであって、サービス要求メッセージは、ＵＥの識別、およびＵＥがアタッチされたＭＭＥの識別を含み、サービス要求メッセージは、ＵＥのためにサービスを提供するように、ＵＥがアタッチされたＭＭＥに要求するために使用され、サービングＭＭＥは、ＵＥがアタッチされたＭＭＥが故障した後、ＵＥのためにサービスを提供するように、ｅＮｏｄｅＢによって選択されたＭＭＥであり、ＵＥがアタッチされたＭＭＥ、およびサービングＭＭＥは、同じＭＭＥプールに配置されている、受信することと、
サービングＭＭＥによって、ＵＥの識別に基づいて、またはＵＥの識別およびＵＥがアタッチされたＭＭＥの識別に基づいて、ＵＥのユーザ情報を獲得することと、
サービングＭＭＥによって、ＵＥのユーザ情報に基づいて、ＵＥのためにサービス要求メッセージに対応するサービスを提供することと
を含む。
【００１０】
第４の態様によれば、本発明の実施形態はサービス冗長方法を提供し、この方法は、
ユーザ機器ＵＥがアタッチされたモビリティ管理エンティティＭＭＥが故障した後、サービングＭＭＥによって、第２世代モバイル通信技術２Ｇネットワークまたは第３世代モバイル通信技術３Ｇネットワークにおける回線交換ＣＳドメイン内のコアネットワークのネットワーク要素によって送信されたページング要求メッセージを受信することであって、ページング要求メッセージは、ＵＥの識別を含み、ページング要求メッセージは、ＵＥに対するＣＳＦＢページングまたは１ｘＣＳＦＢページングを開始することを要求するために使用され、サービングＭＭＥは、ＵＥがアタッチされたＭＭＥが故障したときに、ＵＥのためにサービスを提供するＭＭＥであり、ＵＥがアタッチされたＭＭＥ、およびサービングＭＭＥは、同じＭＭＥプールに配置されている、受信することと、
サービングＭＭＥによって、ＵＥの識別に基づいて、ＵＥのユーザ情報を獲得することと、
サービングＭＭＥによって、ユーザ情報に基づいて、ＵＥが配置されたトラッキングエリアを獲得し、トラッキングエリアにおいてページング要求を開始することと
を含む。
【００１１】
第５の態様によれば、本発明の実施形態は、モビリティ管理エンティティＭＭＥを提供し、ＭＭＥは、送信ユニット、受信ユニット、および決定ユニットを備え、
送信ユニットは、要求メッセージをドメインネームシステムＤＮＳサーバに送信するように構成され、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用され、
受信ユニットは、ＤＮＳサーバにより送信された要求応答メッセージを受信するように構成され、要求応答メッセージは、ＭＭＥプール内の全てのＭＭＥのＭＭＥＣを含み、
決定ユニットは、ＭＭＥプール内の全てのＭＭＥのＭＭＥＣに基づいて、および予め設定されたポリシーに基づいて、ＭＭＥのバックアップＭＭＥを決定するように構成され、
送信ユニットは、インターフェース要求メッセージをＤＮＳサーバに送信するようにさらに構成され、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用され、
受信ユニットは、ＤＮＳサーバにより送信されたインターフェース応答メッセージを受信するようにさらに構成され、インターフェース応答メッセージは、バックアップＭＭＥのインターフェース情報を含み、
送信ユニットは、バックアップＭＭＥのインターフェース情報に基づいて、ＭＭＥにアタッチされたユーザ機器ＵＥのユーザ情報をバックアップＭＭＥに送信するようにさらに構成される。
【００１２】
第５の態様を参照して、第１の可能な実現方式では、決定ユニットは、
ＭＭＥＣの昇順に基づいて、ＭＭＥプール内の全てのＭＭＥのＭＭＥＣをソートして、ソート結果を取得し、
ＭＭＥのＭＭＥＣに隣接しＭＭＥのＭＭＥＣよりも大きいＭＭＥＣに対応するＭＭＥを、バックアップＭＭＥとして使用し、ＭＭＥのＭＭＥＣがソート結果において最も大きい場合、ソート結果においてＭＭＥＣが最も小さいＭＭＥを、バックアップＭＭＥとして使用する
ように特に構成される。
【００１３】
第５の態様、または第５の態様の第１の可能な実現方式を参照して、第２の可能な実現方式では、送信ユニットは、
バックアップＭＭＥのインターフェース情報に対応するインターフェースを使用することによって、バックアップ要求メッセージをバックアップＭＭＥに送信するように特に構成され、バックアップ要求メッセージは、ＵＥの識別、およびＵＥのユーザ情報を含み、バックアップ要求メッセージは、ＵＥのユーザ情報をバックアップするようにバックアップＭＭＥに要求するために使用される。
【００１４】
第６の態様によれば、本発明の実施形態は、ドメインネームシステムＤＮＳサーバを提供し、ＤＮＳサーバは、受信ユニット、第１の獲得ユニット、送信ユニット、および第２の獲得ユニットを備え、
受信ユニットは、モビリティ管理エンティティＭＭＥにより送信された要求メッセージを受信するように構成され、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用され、
第１の獲得ユニットは、ＭＭＥプールのプール識別に基づいて、ＭＭＥプールのプール識別に対応するＭＭＥプール内の全てのＭＭＥのＭＭＥＣを獲得するように構成され、
送信ユニットは、要求応答メッセージをＭＭＥに送信するように構成され、要求応答メッセージは、全てのＭＭＥのＭＭＥＣを含み、したがって、ＭＭＥが、全てのＭＭＥのＭＭＥＣに基づいて、ＭＭＥのバックアップＭＭＥを決定するようになり、
受信ユニットは、ＭＭＥにより送信されたインターフェース要求メッセージを受信するようにさらに構成され、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用され、
第２の獲得ユニットは、バックアップＭＭＥのＭＭＥＣ、およびＭＭＥプールのプール識別に基づいて、バックアップＭＭＥのインターフェース情報を獲得するように構成され、
送信ユニットは、インターフェース応答メッセージをＭＭＥに送信するように構成され、インターフェース応答メッセージは、バックアップＭＭＥのインターフェース情報を含み、したがって、ＭＭＥが、バックアップＭＭＥのインターフェース情報に基づいて、ＭＭＥにアタッチされたユーザ機器ＵＥのユーザ情報をバックアップＭＭＥに送信するようになる。
【００１５】
第７の態様によれば、本発明の実施形態は、サービングモビリティ管理エンティティＭＭＥを提供し、サービングＭＭＥは、受信ユニット、獲得ユニット、およびサービングユニットを備え、
受信ユニットは、ユーザ機器ＵＥがアタッチされたモビリティ管理エンティティＭＭＥが故障した後、進化型ノードＢ  ｅＮｏｄｅＢを使用することによってＵＥにより送信されたサービス要求メッセージを受信するように構成され、サービス要求メッセージは、ＵＥの識別、およびＵＥがアタッチされたＭＭＥの識別を含み、サービス要求メッセージは、ＵＥのためにサービスを提供するように、ＵＥがアタッチされたＭＭＥに要求するために使用され、サービングＭＭＥは、ＵＥがアタッチされたＭＭＥが故障した後、ＵＥのためにサービスを提供するように、ｅＮｏｄｅＢによって選択されたＭＭＥであり、ＵＥがアタッチされたＭＭＥ、およびサービングＭＭＥは、同じＭＭＥプールに配置されており、
獲得ユニットは、ＵＥの識別に基づいて、またはＵＥの識別およびＵＥがアタッチされたＭＭＥの識別に基づいて、ＵＥのユーザ情報を獲得するように構成され、
サービングユニットは、ＵＥのユーザ情報に基づいて、ＵＥのためにサービス要求メッセージに対応するサービスを提供するように構成される。
【００１６】
第７の態様を参照して、第１の可能な実現方式では、受信ユニットは、ＵＥがアタッチされたＭＭＥにより送信されたＵＥのユーザ情報およびＵＥの識別を受信し、ＵＥのユーザ情報とＵＥの識別との間の対応関係を記録するようにさらに構成され、
獲得ユニットは、ＵＥの識別に基づいて、ＵＥのユーザ情報であってサービングＭＭＥによって保存されたユーザ情報を獲得するように特に構成される。
【００１７】
第７の態様を参照して、第２の可能な実現方式では、獲得ユニットは、
ＵＥがアタッチされたＭＭＥの識別に基づいて、ＵＥがアタッチされたＭＭＥのバックアップＭＭＥのインターフェース情報を獲得し、バックアップＭＭＥから、ＵＥの識別、およびバックアップＭＭＥのインターフェース情報に基づいて、ＵＥのユーザ情報を獲得するように特に構成され、バックアップＭＭＥおよびサービングＭＭＥは、同じＭＭＥプールに配置されている。
【００１８】
第２の可能な実現方式を参照して、第３の可能な実現方式では、ＵＥがアタッチされたＭＭＥの識別は、ＵＥがアタッチされたＭＭＥのＭＭＥコードＭＭＥＣであり、獲得ユニットは、
要求メッセージをドメインネームシステムＤＮＳサーバに送信することであって、要求メッセージは、サービングＭＭＥが配置されたＭＭＥプールのプール識別を含み、要求メッセージは、ＭＭＥプール内の全てのＭＭＥのＭＭＥコードＭＭＥＣを獲得することを要求するために使用される、送信することと、
ＤＮＳサーバにより送信された要求応答メッセージを受信することであって、要求応答メッセージは、ＭＭＥプール内の全てのＭＭＥのＭＭＥＣを含む、受信することと、
ＵＥがアタッチされたＭＭＥのＭＭＥＣ、および全てのＭＭＥのＭＭＥＣに基づいて、ならびに予め設定されたポリシーに基づいて、ＵＥがアタッチされたＭＭＥのバックアップＭＭＥを獲得することと、
インターフェース要求メッセージをＤＮＳサーバに送信することであって、インターフェース要求メッセージは、バックアップＭＭＥのＭＭＥＣ、およびＭＭＥプールのプール識別を含み、したがって、ＤＮＳサーバが、ＭＭＥプールのプール識別、およびバックアップＭＭＥのＭＭＥＣに基づいて、バックアップＭＭＥのインターフェース情報を獲得するようになる、送信することと、
ＤＮＳサーバにより送信されたインターフェース応答メッセージを受信することであって、インターフェース応答メッセージは、バックアップＭＭＥのインターフェース情報を含む、受信することと
を行うように特に構成される。
【００１９】
第７の態様乃至第７の態様の第３の可能な実現方式のいずれか１つを参照して、第４の可能な実現方式では、サービス要求メッセージは、ＵＥのボイスオーバーロングタームエボリューションＶｏＬＴＥモバイル発信サービス要求メッセージ、もしくはＵＥの回線交換フォールバックＣＳＦＢ要求メッセージ、もしくはＵＥの１ｘＣＳＦＢ要求メッセージであり、ＵＥがアタッチされたＭＭＥの識別は、ＵＥがアタッチされたＭＭＥのＭＭＥＣであり、または、
サービス要求メッセージは、ＵＥの位置登録ＴＡＵ要求メッセージであり、ＵＥがアタッチされたＭＭＥの識別は、ＵＥがアタッチされたＭＭＥによってＵＥに割り当てられたグローバル一意一時アイデンティティＧＵＴＩであり、ＧＵＴＩは、ＵＥがアタッチされたＭＭＥのＭＭＥＣを含む。
【００２０】
第７の態様乃至第７の態様の第４の可能な実現方式のいずれか１つを参照して、第５の可能な実現方式では、ＵＥの識別は、ＵＥのショート一時モバイル加入者識別Ｓ−ＴＭＳＩである。
【００２１】
第７の態様乃至第７の態様の第５の可能な実現方式のいずれか１つを参照して、第６の可能な実現方式では、サービングＭＭＥは、決定ユニットおよび送信ユニットをさらに備え、
決定ユニットは、ＵＥのユーザ情報に基づいて、ＵＥが許可されたユーザであることを決定するように構成され、
送信ユニットは、ＭＭＥに接続されたサービングゲートウェイＳＧＷおよびホーム加入者サーバＨＳＳに対して、修正要求メッセージを別々に送信するように構成され、修正要求メッセージは、ＵＥの識別を含み、修正要求メッセージは、ＵＥとＵＥがアタッチされたＭＭＥとの間の対応関係をＵＥとサービングＭＭＥとの間の対応関係に修正するように、ＳＧＷまたはＨＳＳに要求するために使用され、送信ユニットは、ＧＵＴＩをＵＥに再割り当てし、再割り当てされたＧＵＴＩをＵＥに送信するようにさらに構成され、したがって、ＵＥがサービングＭＭＥにアタッチされるようになる。
【００２２】
第８の態様によれば、本発明の実施形態は、サービングＭＭＥを提供し、サービングＭＭＥは、受信ユニット、獲得ユニット、およびページングユニットを備え、
受信ユニットは、ユーザ機器ＵＥがアタッチされたモビリティ管理エンティティＭＭＥが故障した後、第２世代モバイル通信技術２Ｇネットワークまたは第３世代モバイル通信技術３Ｇネットワークにおける回線交換ＣＳドメイン内のコアネットワークのネットワーク要素によって送信されたページング要求メッセージを受信するように構成され、ページング要求メッセージは、ＵＥの識別を含み、ページング要求メッセージは、ＵＥに対するＣＳＦＢページングまたは１ｘＣＳＦＢページングを開始することを要求するために使用され、サービングＭＭＥは、ＵＥがアタッチされたＭＭＥが故障したときに、ＵＥのためにサービスを提供するＭＭＥであり、ＵＥがアタッチされたＭＭＥ、およびサービングＭＭＥは、同じＭＭＥプールに配置されており、
獲得ユニットは、ＵＥの識別に基づいて、ＵＥのユーザ情報を獲得するように構成され、
ページングユニットは、ユーザ情報に基づいて、ＵＥが配置されたトラッキングエリアを獲得し、トラッキングエリアにおいてページング要求を開始するように構成される。
【００２３】
第８の態様を参照して、第１の可能な実現方式では、サービングＭＭＥは、記録ユニットをさらに備え、
受信ユニットは、ＵＥがアタッチされたＭＭＥにより送信されたＵＥのユーザ情報およびＵＥの識別を受信するようにさらに構成され、
記録ユニットは、ＵＥのユーザ情報とＵＥの識別との間の対応関係を記録するように構成され、
獲得ユニットは、ＵＥの識別に基づいて、ＵＥのユーザ情報であってサービングＭＭＥによって保存されたユーザ情報を獲得するように構成される。
【００２４】
第８の態様を参照して、第２の可能な実現方式では、サービングＭＭＥは、送信ユニットをさらに備え、
送信ユニットは、ブロードキャスト要求メッセージをＭＭＥプール内の全てのＭＭＥに送信するように構成され、ブロードキャスト要求メッセージは、ＵＥの識別を含み、ブロードキャスト要求メッセージは、ＵＥのユーザ情報を獲得することを要求するために使用され、
受信ユニットは、ＵＥがアタッチされたＭＭＥのバックアップＭＭＥのブロードキャスト応答メッセージを受信するようにさらに構成され、ブロードキャスト応答メッセージは、ＵＥのユーザ情報を含む。
【００２５】
本発明の実施形態は、サービス冗長方法および関係付けられた装置を提供し、これらにおいて、ＭＭＥが、ＤＮＳサーバから、ＭＭＥが配置されたＭＭＥプール内の全てのＭＭＥのＭＭＥＣを獲得し、ＭＭＥは、予め設定されたポリシーを使用することによって、ＭＭＥプール内の全てのＭＭＥのＭＭＥＣに基づいて、ＭＭＥのバックアップＭＭＥを獲得し、ＤＮＳサーバからバックアップＭＭＥのインターフェース情報を獲得し、ＭＭＥは、ＭＭＥにアタッチされたＵＥのユーザ情報をバックアップＭＭＥにバックアップし、ＭＭＥが故障したとき、ネットワーク側が、ＵＥに対応するサービス要求メッセージを、ＭＭＥプール内の正常に動作するＭＭＥに送信し、正常に動作するＭＭＥが、ＵＥのサービングＭＭＥとして使用され、サービングＭＭＥは、バックアップＭＭＥからＵＥのユーザ情報を獲得して、ＵＥのためにサービスを提供することができ、したがって、ＵＥのサービスは一度で成功できるようになり、それにより、サービス冗長効果が比較的低いという従来技術の問題を解決する。
【図面の簡単な説明】
【００２６】
本発明の実施形態における技術的解決策をより明確に説明するために、実施形態または従来技術を説明するのに必要とされる添付図面を以下に簡単に紹介する。明らかに、以下の説明における添付図面は、本発明の一部の実施形態を示すに過ぎず、当業者は、これらの添付図面から創作的努力なしに他の図面をさらに導き出し得る。
【図１】ＬＴＥネットワークアーキテクチャの概略図である。
【図２】サービス冗長方法のフローチャート１である。
【図３】は、ＭＭＥチェーンバックアップ関係の概略図である。
【図４】サービス冗長方法のフローチャート２である。
【図５】サービス冗長方法のフローチャート３である。
【図６】サービス冗長方法のフローチャート４である。
【図７】ＭＭＥの概略図である。
【図８】ＤＮＳサーバの概略図である。
【図９】サービングＭＭＥの概略図１である。
【図１０】サービングＭＭＥの概略図２である。
【図１１】別のＭＭＥまたはＤＮＳサーバまたはサービングＭＭＥの概略図である。
【発明を実施するための形態】
【００２７】
以下では、本発明の実施形態における添付図面を参照して、本発明の実施形態における技術的解決策を明確に説明する。明らかに、説明される実施形態は、本発明の実施形態の全部ではなく一部に過ぎない。創作的努力なしに本発明の実施形態に基づき当業者によって取得される全ての他の実施形態は、本発明の保護範囲内に入るものとする。
【００２８】
図１を参照すると、ＬＴＥネットワークアーキテクチャが例示的に説明されている。アーキテクチャのパケット交換（packet switching、ＰＳ）ドメイン内のコアネットワークにおいて、ＭＭＥ１、ＭＭＥ２、およびＭＭＥ３が、ＭＭＥプールを形成し、サービングゲートウェイ（Serving Gateway、ＳＧＷ）およびパケットデータネットワークゲートウェイ（Packet Data Network Gateway、ＰＧＷ）が、ＧＷプールを形成し、加えて、ＬＴＥネットワークのＰＳドメイン内のコアネットワークは、ホーム加入者サーバ（Home Subscriber Server、ＨＳＳ）をさらに含む。
【００２９】
このアーキテクチャのアクセスネットワークでは、モバイル通信デバイスは、ＬＴＥアクセスネットワーク内の基地局に接続され、アクセスネットワーク内の基地局は、ＭＭＥプール内のＭＭＥに接続される。図１では、一部のネットワーク要素のみの接続関係が例示的に説明されているに過ぎず、たとえば、ＨＳＳは実際にはＭＭＥプール内の各ＭＭＥと接続関係を有し、ＭＭＥプール内のＭＭＥのいずれか２つは接続されていることに留意されたい。
【００３０】
ＵＥのサービス冗長性は、ＭＭＥプールを使用することによって実現されることができ、たとえば、ＵＥ１がアタッチされたＭＭＥ１が故障したとき、ＵＥ１のためにサービスを提供する基地局１を使用することによって、ＵＥ１により能動的に開始されたサービス要求が、ＭＭＥプール内の正常に動作するＭＭＥに送信される。正常に動作するＭＭＥがＭＭＥ２であると想定され、ＭＭＥ２はＵＥ１のユーザ情報を有しないので、ＭＭＥ２はＵＥ１のサービス要求を拒否し、ＵＥ１はアタッチ手順を再開してＭＭＥ２にアタッチし、したがって、ＵＥ１のサービスが復旧されるようになり、それにより、ＭＭＥプール内のＭＭＥ冗長性を実現する。
【００３１】
しかしながら、従来技術における冗長効果は比較的低く、たとえば、ＵＥ１がＶｏＬＴＥモバイル発信サービスを開始した場合、ＭＭＥ１が故障すると、基地局１は、ＵＥ１のためのサービスを提供するためにＭＭＥ２を選択する。この場合、ＭＭＥ２はＵＥ１のユーザ情報を有せず、ＭＭＥ２はユーザのためにサービスを提供することができず、したがって、ＭＭＥ２は、ＵＥ１のＶｏＬＴＥモバイル発信サービス要求を拒否し、ＵＥ１がＭＭＥ２にアタッチした後に初めて、ＭＭＥ２は、ＵＥ１のためにサービスを提供することができる。一方で、これにより、ＵＥのＶｏＬＴＥサービスが一度で成功できず、比較的貧弱なユーザエクスペリエンスをもたらし、また他方で、ＭＭＥ１が故障した後、ＭＭＥ１にアタッチされた全てのＵＥにより開始されたサービス要求が、ネットワーク側によって拒否され、それが、これらのＵＥの新しいアタッチ手順をトリガし、比較的短い時間における多数のユーザのアタッチ手順が、ＨＳＳなどのネットワーク内の他の関係付けられたネットワーク要素に対して大きなシグナリングの影響を与えて、ＨＳＳの輻輳をもたらし、それによって、ユーザがネットワークにアクセスできない、またはＶｏＬＴＥ通話成功率が大幅に低下するという悪影響を生じる。
【００３２】
特に、ＵＥのユーザ情報は、ＵＥのサブスクリプションデータ情報、およびＵＥのサービスに対応する情報などを含み得る。ＵＥのＶｏＬＴＥモバイル発信および着信サービス、ＵＥのＣＳＦＢモバイル発信および着信サービス、およびＵＥのＴＡＵ更新サービスが存在するとき、ＭＭＥは、ＵＥのユーザ情報から、これらのサービスを処理するために必要とされる情報を獲得し得る。
【００３３】
冗長効果が比較的低いという従来技術の問題を解決するために、本発明の実施形態はサービス冗長方法を提供し、この方法は、図２を参照して以下のステップを含む。
【００３４】
２０１．  モビリティ管理エンティティＭＭＥが、要求メッセージをドメインネームシステムＤＮＳサーバに送信する。要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用される。
【００３５】
図１を参照すると、ＭＭＥ１、ＭＭＥ２、およびＭＭＥ３が、ＭＭＥプールを形成し、ＭＭＥプールは、図１に示されるＬＴＥネットワークにおけるＭＭＥプール（MME Pool）である。特に、図１に示されるＬＴＥネットワークは、図示されない別のＭＭＥプールを有してもまたよい。
【００３６】
ＬＴＥネットワークにおける各ＭＭＥプールは、一意に対応するＭＭＥプール識別（MME Group ID、ＭＭＥＧＩ）を有し、プール内の各ＭＭＥのコード（MME Code、ＭＭＥＣ）は、ＭＭＥプール内のＭＭＥの一意の識別である。
【００３７】
これに基づき、１つのバックアップＭＭＥが、各ＭＭＥについて、予め設定されたポリシーを使用することによって構成されてよく、たとえば、全てのＭＭＥのＭＭＥＣ、および全てのＭＭＥの利用可能なインターフェースに関する情報が、ドメインネームシステム（ＤＮＳ）サーバにおいて予め構成され、全てのＭＭＥのＭＭＥＣ情報、およびプール内の全てのＭＭＥの利用可能なインターフェースに関する情報が、プール内のＭＭＥによってＤＮＳサーバから獲得され、そのＭＭＥのバックアップＭＭＥが、予め設定されたポリシーを使用することによって解析される。
【００３８】
特に、各ＭＭＥプールの識別ＭＭＥＧＩ（MME Group ID）、およびＭＭＥプール内のＭＭＥのＭＭＥＣが、ＤＮＳサーバに記憶される。ＤＮＳサーバは、ＭＭＥプール内の全てのＭＭＥを少なくとも１つのグループに分割し、グループを一意に識別する識別情報ＬＩＳＴ＿ＩＤを、各グループに割り当てる。
【００３９】
たとえば、ＭＭＥプールのＭＭＥＧＩは、ＭＭＥＧＩ−１であり、ＭＭＥプールは、それぞれＭＭＥ１〜ＭＭＥ１０である１０個のＭＭＥを有し、１０個のＭＭＥのＭＭＥＣはそれぞれ１〜１０であり、ＭＭＥプールに関係付けられたデータ情報、たとえば、ＭＭＥプールのＭＭＥＧＩ情報は、ＤＮＳサーバに予め記憶されると想定される。１０個のＭＭＥは、前もって２つのグループに分割され、すなわち、第１のグループに対応する識別情報ＬＩＳＴ＿ＩＤは、ＬＩＳＴ＿ＩＤ−１であり、第１のグループは、ＭＭＥ１〜ＭＭＥ６の６個のＭＭＥを含み、第２のグループに対応するＬＩＳＴ＿ＩＤは、ＬＩＳＴ＿ＩＤ−２であり、第２のグループは、ＭＭＥ７〜ＭＭＥ１０の４個のＭＭＥを含む。
【００４０】
特に、ＭＭＥは、第１の完全修飾ドメイン名（Fully Qualified Domain Name、ＦＱＤＮ）を使用することによって、要求メッセージをＤＮＳサーバに送信してよく、第１のＦＱＤＮは、
ｒｉｎｇ．ｍｍｅｇｉ＜ＭＭＥＧＩ＞．ｍｍｅ．ｅｐｃ．ｍｎｃ＜ＭＮＣ＞．ｍｃｃ＜ＭＣＣ＞．３ｇｐｐｎｅｔｗｏｒｋ．ｏｒｇ
であり得る。
【００４１】
ＭＭＥＧＩは、ＭＭＥが配置されたＭＭＥプールのプール識別情報であり、ＭＭＥＧＩは、ＭＭＥＧＩ−１であると想定される。ＭＮＣは、ネットワークが属するオペレータに関する情報を区別するために使用され、ＭＮＣは、２つの１０進数を含み、コード範囲は１０進法の００〜９９である。たとえば、Ｃｈｉｎａ  ＭｏｂｉｌｅのＭＮＣは、００、０２、０４、および０６であり、Ｃｈｉｎａ  ＵｎｉｃｏｍのＭＮＣは、０１、０５、および０７であり、Ｃｈｉｎａ  ＴｅｌｅｃｏｍのＭＮＣは、０３である。ＭＣＣは、モバイルカントリーコードであり、モバイル加入者が属する国を一意に識別するために使用される。
【００４２】
ＤＮＳサーバは、ＭＭＥＧＩ−１に基づいて、上記のＭＭＥプール内のＬＩＳＴ＿ＩＤ−１およびＬＩＳＴ＿ＩＤ−２に関する情報、ならびにＬＩＳＴ＿ＩＤ−１およびＬＩＳＴ＿ＩＤ−２内の全てのＭＭＥのＭＭＥＣ情報を問い合わせる。
【００４３】
２０２．  ＭＭＥは、ＤＮＳサーバにより送信された要求応答メッセージを受信し、ここで要求応答メッセージは、ＭＭＥプール内の全てのＭＭＥのＭＭＥＣを含む。
【００４４】
特に、ＤＮＳサーバにより送信された要求応答メッセージは、以下の第２のＦＱＤＮで示される形態であり得る。
＜ｉｎｔｅｒｆａｃｅ−ｎａｍｅ＞．ｒｉｎｇ．ｍｍｅｃ＜ＭＭＥＣ＞．ｌｉｓｔ＜ＬＩＳＴ＿ＩＤ＞．ｍｍｅｇｉ＜ＭＭＥＧＩ＞．ｍｍｅ．ｅｐｃ．ｍｎｃ＜ＭＮＣ＞．ｍｃｃ＜ＭＣＣ＞．３ｇｐｐｎｅｔｗｏｒｋ．ｏｒｇ
【００４５】
たとえば、ＭＭＥが配置されたプールが１０個のＭＭＥを有する場合、ＤＮＳサーバは、上記第２のＦＱＤＮで示された１０個のメッセージをＭＭＥに送信する。たとえば、ＭＭＥＣがＭＭＥ１を表す場合、プレフィックス＜ｉｎｔｅｒｆａｃｅ−ｎａｍｅ＞は、ＭＭＥ１の利用可能なインターフェースを搬送し、＜ＬＩＳＴ＿ＩＤ＞は、ＭＭＥ１が配置されたグループの識別情報ＬＩＳＴ＿ＩＤ−１を表し、ＭＭＥＧＩは、ＭＭＥ１が配置されたＭＭＥプールの識別情報ＭＭＥＧＩ−１を表す。
【００４６】
ＭＭＥは、第２のＦＱＤＮ内の情報に基づいて、ＭＭＥプール内の全てのＭＭＥのＭＭＥＣ情報、および各ＭＭＥに対応するＬＩＳＴ＿ＩＤ情報を獲得し得る、すなわち、ＭＭＥプールは、１０個のＭＭＥを含み、１０個のＭＭＥは、２つのグループに分割され、２つのグループの識別情報はそれぞれ、ＬＩＳＴ＿ＩＤ−１およびＬＩＳＴ＿ＩＤ−２である。ＬＩＳＴ＿ＩＤ−１に対応するグループは、ＭＭＥ１〜ＭＭＥ６の６個のＭＭＥと、６個のＭＭＥのＭＭＥＣ情報とを含み、ＬＩＳＴ＿ＩＤ−２に対応するグループは、ＭＭＥ７〜ＭＭＥ１０の４個のＭＭＥと、４個のＭＭＥのＭＭＥＣ情報とを含む。
【００４７】
２０３．  ＭＭＥは、ＭＭＥプール内の全てのＭＭＥのＭＭＥＣに基づいて、および予め設定されたポリシーに基づいて、ＭＭＥのバックアップＭＭＥを決定する。
【００４８】
特に、ＭＭＥは、ＭＭＥＣの昇順に基づいて、ＭＭＥプール内の全てのＭＭＥのＭＭＥＣをソートして、ソート結果を取得する。
【００４９】
ＭＭＥは、ＭＭＥのＭＭＥＣに隣接しＭＭＥのＭＭＥＣよりも大きいＭＭＥＣに対応するＭＭＥを、バックアップＭＭＥとして使用し、ＭＭＥのＭＭＥＣがソート結果において最も大きい場合、ＭＭＥは、ソート結果においてＭＭＥＣが最も小さいＭＭＥを、バックアップＭＭＥとして使用する。
【００５０】
たとえば、全てのＭＭＥのＭＭＥＣを獲得した後、ＭＭＥは、昇順に基づいて、同じグループ内のＭＭＥのＭＭＥＣをソートして、図３に示されるチェーンバックアップループを生成する。
【００５１】
特に、図３を参照して、ＭＭＥチェーンバックアップループが例示的に説明される。そのＭＭＥはＭＭＥ１であり、ＭＭＥ１が配置されたグループの識別は、ＬＩＳＴ＿ＩＤ−１であり、グループ内の６個のＭＭＥはそれぞれ、ＭＭＥ１〜ＭＭＥ６であると想定され、ＭＭＥ１〜ＭＭＥ６のＭＭＥＣは、昇順で連続的に増大し、６個のＭＭＥは、図３に示されたチェーンバックアップ関係を形成することができると想定される。チェーンバックアップループにおいて、ＭＭＥＣ番号が相対的に小さいＭＭＥが、値ソートにおいてＭＭＥＣ番号が相対的に大きくそのＭＭＥに隣接するＭＭＥを、バックアップＭＭＥとして選択し、ＭＭＥＣ番号が最も大きいＭＭＥが、チェーンバックアップループにおいてＭＭＥＣ番号が最も小さいＭＭＥを、バックアップＭＭＥとして選択する。
【００５２】
たとえば、ＭＭＥ１のバックアップＭＭＥはＭＭＥ２であり、ＭＭＥ２のバックアップＭＭＥはＭＭＥ３であり、…、ＭＭＥ５のバックアップＭＭＥはＭＭＥ６であり、ＭＭＥ６のバックアップＭＭＥはＭＭＥ１である。
【００５３】
当然ながら、ＭＭＥはまた、同じ方法に基づいて、ＬＩＳＴ＿ＩＤ−２に対応するグループのチェーンバックアップループを獲得して、ＭＭＥプール内の全てのＭＭＥのバックアップ関係を取得してもよい。
【００５４】
図３に示されたチェーンバックアップ関係は、実現可能性のある実現方式に過ぎないことに留意されたい。ＭＭＥは、予め設定されたポリシーに基づいて、別の形態でプール内のＭＭＥのバックアップ関係をさらに生成してよく、これは、本発明のこの実施形態において限定されない。加えて、同じプール内でＭＭＥのバックアップＭＭＥを獲得するための本発明の着想に基づく任意の方法が、本発明の保護範囲内にある。
【００５５】
２０４．  ＭＭＥは、インターフェース要求メッセージをＤＮＳサーバに送信する。インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用される。
【００５６】
さらに、第２のＦＱＤＮ内の＜ｉｎｔｅｒｆａｃｅ−ｎａｍｅ＞が、ＭＭＥの単一のインターフェースに関する情報を搬送する。しかしながら、実際には、プール内のＭＭＥは複数のインターフェースを含む。プール内のＭＭＥが別のＭＭＥと通信しようとするとき、ＭＭＥの単一のインターフェースに基づいて通信が行われないことがあり、ＭＭＥの別の利用可能なインターフェースに関する情報が獲得される必要がある。
【００５７】
本発明のこの実施形態におけるシナリオでは、ＭＭＥは、ＵＥのユーザ情報をバックアップＭＭＥにバックアップする必要がある。したがって、ＭＭＥは、バックアップＭＭＥの全てのインターフェースに関する情報を獲得する必要がある。
【００５８】
この場合、ＭＭＥは、以下の第３のＦＱＤＮをＤＮＳサーバに送信し得る。
ｍｍｅｃ＜ＭＭＥＣ＞．ｌｉｓｔ＜ＬＩＳＴ＿ＩＤ＞．ｍｍｅｇｉ＜ＭＭＥＧＩ＞．ｍｍｅ．ｅｐｃ．ｍｎｃ＜ＭＮＣ＞．ｍｃｃ＜ＭＣＣ＞．３ｇｐｐｎｅｔｗｏｒｋ．ｏｒｇ
【００５９】
第３のＦＱＤＮにおけるＭＭＥＣは、バックアップＭＭＥのＭＭＥＣであり、バックアップＭＭＥの全てのインターフェースに関する情報であってＭＭＥが獲得するのを要求する情報を識別するために使用される。ＤＮＳサーバは、第３のＦＱＤＮ内の情報を使用することによって問い合わせおよび解析を行って、バックアップＭＭＥの全てのインターフェースに関する情報を獲得し、バックアップＭＭＥの全てのインターフェースのアドレス情報をＭＭＥに送信する。
【００６０】
２０５．  ＭＭＥは、ＤＮＳサーバにより送信されたインターフェース応答メッセージを受信する。インターフェース応答メッセージは、バックアップＭＭＥのインターフェース情報を含む。
【００６１】
インターフェース応答メッセージは、第４のＦＱＤＮ：
＜ｉｎｔｅｒｆａｃｅ−ｎａｍｅ＞．ｒｉｎｇ．ｍｍｅｃ＜ＭＭＥＣ＞．ｌｉｓｔ＜ＬＩＳＴ＿ＩＤ＞．ｍｍｅｇｉ＜ＭＭＥＧＩ＞．ｍｍｅ．ｅｐｃ．ｍｎｃ＜ＭＮＣ＞．ｍｃｃ＜ＭＣＣ＞．３ｇｐｐｎｅｔｗｏｒｋ．ｏｒｇであり、第４のＦＱＤＮにおけるＭＭＥＣは、バックアップＭＭＥのＭＭＥＣであり、ｉｎｔｅｒｆａｃｅ−ｎａｍｅは、バックアップＭＭＥの全てのインターフェースに関する情報を含み、または、バックアップＭＭＥがＦ個のインターフェースを有する場合、インターフェース応答メッセージは、Ｆ個の第４のＦＱＤＮを含み、各第４のＦＱＤＮのｉｎｔｅｒｆａｃｅ−ｎａｍｅは、バックアップＭＭＥの１つのインターフェースに関する情報を含み、バックアップＭＭＥのインターフェースに関する情報であってＦ個の第４のＦＱＤＮに含まれる情報の任意の２つは異なっている。
【００６２】
ＭＭＥがプール内で増加または減少する場合、たとえば、図３を参照して、ＭＭＥ６が使用されるのをやめる場合、本発明のこの実施形態における技術的解決策を使用することによって、プール内のＭＭＥは、ステップ２０１からステップ２０５を行うことによって、プール内の全てのＭＭＥのＭＭＥＣ、および各ＭＭＥの利用可能なインターフェースに関する情報を再獲得し、予め設定されたポリシーを使用することによってＭＭＥのバックアップＭＭＥに関する情報を解析するだけでよいことに留意されたい。たとえば、ＭＭＥ６が使用されるのをやめる場合、ＭＭＥ１のバックアップＭＭＥがＭＭＥ５に変わり、これは、ＭＭＥプール内の各ＭＭＥがバックアップＭＭＥを有することを確実にするだけでなく、プール内の全てのＭＭＥのバックアップ関係および全てのＭＭＥのインターフェースに関する情報を各ＭＭＥによって獲得することの複雑さを低減する。
【００６３】
２０６．  ＭＭＥは、バックアップＭＭＥのインターフェース情報に基づいて、ＭＭＥにアタッチされたユーザ機器ＵＥのユーザ情報をバックアップＭＭＥに送信する。
【００６４】
特に、ＭＭＥは、バックアップＭＭＥのインターフェースを使用することによって、バックアップ要求メッセージをバックアップＭＭＥに送信し、バックアップ要求メッセージは、ＵＥの識別情報、およびＵＥのユーザ情報を搬送し、バックアップ要求メッセージは、ＵＥのユーザ情報をバックアップするようにバックアップＭＭＥに要求するために使用される。
【００６５】
バックアップ要求メッセージを受信した後、バックアップＭＭＥは、ＵＥのユーザ情報を記憶し、ＵＥの識別情報とＵＥのユーザ情報との間の対応関係を記録する。
【００６６】
本発明のこの実施形態はサービス冗長方法を提供する。この方法では、プール内の全てのＭＭＥのＭＭＥＣ情報、および全てのＭＭＥの利用可能なインターフェースに関する情報は、ＤＮＳサーバにおいて予め構成される。ＭＭＥが、ＭＭＥにアタッチされたＵＥのユーザ情報をバックアップする必要があるとき、ＭＭＥは、ＦＱＤＮを使用することによって、ＤＮＳサーバより、ＭＭＥが配置されたプール内の全てのＭＭＥのＭＭＥＣ情報を問い合わせ、予め設定されたポリシーに基づいてＭＭＥのバックアップＭＭＥに関する情報を獲得し、ＤＮＳサーバより、バックアップＭＭＥの利用可能なインターフェースに関する情報を問い合わせ、バックアップＭＭＥの利用可能なインターフェースを使用することによって、ＵＥのユーザ情報をバックアップＭＭＥにバックアップするので、ＭＭＥが故障したとき、ＭＭＥプール内の別のＭＭＥが、バックアップＭＭＥからＵＥのユーザ情報を獲得して、ＵＥのためにサービスを提供するようになる。したがって、ＵＥのサービスが一度で成功することが可能であり、それにより、サービス冗長効果が比較的低いという従来技術の問題を解決する。
【００６７】
さらに、図４を参照すると、本発明の実施形態はサービス冗長方法をさらに提供し、この方法は以下のステップを含む。
【００６８】
４０１．  ドメインネームシステムＤＮＳサーバが、モビリティ管理エンティティＭＭＥにより送信された要求メッセージを受信し、ここで要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用される。
【００６９】
４０２．  ＤＮＳサーバは、ＭＭＥプールのプール識別に基づいて、ＭＭＥプールのプール識別に対応するＭＭＥプール内の全てのＭＭＥのＭＭＥＣを獲得し、要求応答メッセージをＭＭＥに送信し、ここで要求応答メッセージは、全てのＭＭＥのＭＭＥＣを含み、したがって、ＭＭＥが、全てのＭＭＥのＭＭＥＣに基づいて、ＭＭＥのバックアップＭＭＥを決定するようになる。
【００７０】
４０３．  ＤＮＳサーバは、ＭＭＥにより送信されたインターフェース要求メッセージを受信し、ここでインターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用される。
【００７１】
４０４．  ＤＮＳサーバは、バックアップＭＭＥのＭＭＥＣ、およびＭＭＥプールのプール識別に基づいて、バックアップＭＭＥのインターフェース情報を獲得し、インターフェース応答メッセージをＭＭＥに送信し、ここでインターフェース応答メッセージは、バックアップＭＭＥのインターフェース情報を含み、したがって、ＭＭＥが、バックアップＭＭＥのインターフェース情報に基づいて、ＭＭＥにアタッチされたユーザ機器ＵＥのユーザ情報をバックアップＭＭＥに送信するようになる。
【００７２】
特に、本発明のこの実施形態における詳細な技術的特徴については、図２に対応する前述の実施形態が参照されてよく、詳細は、本発明のこの実施形態では再び説明されない。
【００７３】
本発明のこの実施形態はサービス冗長方法を提供する。この方法では、ＭＭＥプール内の全てのＭＭＥのＭＭＥＣ情報、および全てのＭＭＥの利用可能なインターフェースに関する情報が、ＤＮＳサーバにおいて予め構成される。ＭＭＥプール内のＭＭＥが、ＭＭＥにアタッチされたＵＥのユーザ情報をバックアップする必要があるとき、ＭＭＥは、ＦＱＤＮを使用することによって、ＤＮＳサーバより、ＭＭＥが配置されたＭＭＥプール内の全てのＭＭＥのＭＭＥＣ情報を問い合わせ、予め設定されたポリシーを使用することによって、全てのＭＭＥのＭＭＥＣ情報に基づいて、ＭＭＥのバックアップＭＭＥに関する情報を獲得し、ＤＮＳサーバより、バックアップＭＭＥの利用可能なインターフェースに関する情報を問い合わせ、バックアップＭＭＥの利用可能なインターフェースを使用することによって、ＵＥのユーザ情報をバックアップＭＭＥにバックアップするので、ＭＭＥが故障したとき、ＭＭＥプール内の別のＭＭＥが、バックアップＭＭＥからＵＥのユーザ情報を獲得して、ＵＥのためにサービスを提供するようになる。したがって、ＵＥのサービスが一度で成功することが可能であり、それにより、サービス冗長効果が比較的低いという従来技術の問題を解決する。
【００７４】
サービス冗長効果が比較的低いという従来技術の問題を解決するために、図５を参照して、本発明の実施形態はサービス冗長方法をさらに提供し、この方法は以下のステップを含む。
【００７５】
５０１．  ユーザ機器ＵＥがアタッチされたモビリティ管理エンティティＭＭＥが故障した後、サービングＭＭＥが、進化型ノードＢ  ｅＮｏｄｅＢを使用することによってＵＥにより送信されたサービス要求メッセージを受信し、ここでサービス要求メッセージは、ＵＥの識別、およびＵＥがアタッチされたＭＭＥの識別を含み、サービス要求メッセージは、ＵＥのためにサービスを提供するように、ＵＥがアタッチされたＭＭＥに要求するために使用され、サービングＭＭＥは、ＵＥがアタッチされたＭＭＥが故障した後、ＵＥのためにサービスを提供するように、ｅＮｏｄｅＢによって選択されたＭＭＥであり、ＵＥがアタッチされたＭＭＥ、およびサービングＭＭＥは、同じＭＭＥプールに配置されている。
【００７６】
特に、ＵＥが、ＶｏＬＴＥモバイル発信サービス、またはデータサービス、または広帯域符号分割多元接続（Wideband Code Division Multiple Access、ＷＣＤＭＡ（登録商標））ネットワークにフォールバックする回線交換フォールバック（Circuit Switched Fallback、ＣＳＦＢ）モバイル発信サービス、またはＷＣＤＭＡ２０００ネットワークにフォールバックする１ｘＣＳＦＢモバイル発信サービス、またはトラッキングエリア更新（Tracking Area Update、ＴＡＵ）サービスを行うとき、ＵＥはまず、ＵＥに接続された基地局にサービス要求メッセージを送信する必要がある。特に、サービス要求は、ＵＥが開始する必要があるサービスに応じて変わる。たとえば、ＶｏＬＴＥモバイル発信サービスは、ＶｏＬＴＥモバイル発信サービス要求に対応しており、ＣＳＦＢモバイル発信サービスは、ＣＳＦＢモバイル発信サービス要求に対応している。
【００７７】
サービス要求メッセージは、ＵＥの識別情報を搬送し、ＵＥの識別情報は、ＵＥが配置されたネットワークにおけるユーザを一意に識別できる情報、たとえば、ユーザのショート一時モバイル加入者識別（Short Temporary Mobile Subscriber Identity、Ｓ−ＴＭＳＩ）である。
【００７８】
図１を参照すると、ＵＥは、図１においてＵＥ１であり、ＵＥは、当初は図１におけるＭＭＥ１にアタッチされていると想定される。ＭＭＥ１が故障した後、ＵＥ１にサービングする基地局１は、ＭＭＥ１が故障してＵＥ１のためにサービス提供し続けることができないと決定する。基地局１は、予め設定されたポリシー、たとえばロードバランシング原理に基づいて、ＵＥ１に対するＭＭＥ１と同じＭＭＥプールにおいて、ＭＭＥ、たとえば図１のＭＭＥ２を、ＵＥ１のためにサービスを提供するように再選択する。ＭＭＥ２は、ＵＥ１のサービングＭＭＥと呼ばれることがあり、ＵＥ１のサービス要求メッセージがＭＭＥ２に送信され、ＵＥ１のためにサービスを提供するようにＭＭＥ２に命令する。
【００７９】
５０２．  サービングＭＭＥは、ＵＥの識別に基づいて、またはＵＥの識別およびＵＥがアタッチされたＭＭＥの識別に基づいて、ＵＥのユーザ情報を獲得する。
【００８０】
基地局１により送信されたＵＥ１のサービス要求メッセージを受信した後、ＵＥ１のサービングＭＭＥ、すなわちＭＭＥ２は、サービス要求メッセージで搬送されるＵＥ１のＳ−ＴＭＳＩに基づいて、ＵＥ１のユーザ情報が記憶されているかどうかを決定する。
【００８１】
特に、図２および図４に対応する実施形態を参照すると、ＭＭＥ２がＭＭＥ１のバックアップＭＭＥである場合、ＭＭＥ１は、ＭＭＥ１が故障する前に、ＵＥ１のユーザ情報をＭＭＥ２にバックアップし、ＭＭＥ２は、ＵＥ１の識別とＵＥ１のユーザ情報との間の対応関係を記録し、ＭＭＥ２は、ＵＥ１の識別に基づいて、ユーザ情報を記憶する記憶域からＵＥ１のユーザ情報を直接獲得することができる。
【００８２】
ＭＭＥ２がＭＭＥ１のバックアップＭＭＥでなく、図１におけるＭＭＥ３がＭＭＥ１のバックアップＭＭＥであると想定された場合、ＭＭＥ２はＵＥ１のユーザ情報を記憶せず、ＵＥ１の識別情報に基づいて、ＵＥ１のユーザ情報を獲得することができない。この場合、ＭＭＥ２は、ＭＭＥ１のバックアップＭＭＥから、すなわちＭＭＥ３から、ＵＥ１のユーザ情報を獲得する。
【００８３】
特に、サービングＭＭＥは、以下のプロセスを通してＵＥのユーザ情報を獲得する。すなわち、サービングＭＭＥは、要求メッセージをドメインネームシステムＤＮＳサーバに送信し、要求メッセージは、サービングＭＭＥが配置されたＭＭＥプールのプール識別を搬送し、要求メッセージは、ＭＭＥプール内の全てのＭＭＥのＭＭＥＣを獲得することを要求するために使用され、
サービングＭＭＥは、ＤＮＳサーバにより送信された要求応答メッセージを受信し、要求応答メッセージは、ＭＭＥプール内の全てのＭＭＥのＭＭＥＣを含み、
サービングＭＭＥは、ＵＥがアタッチされたＭＭＥのＭＭＥＣ、および全てのＭＭＥのＭＭＥＣに基づいて、ＵＥがアタッチされたＭＭＥのバックアップＭＭＥを獲得し、インターフェース要求メッセージをＤＮＳサーバに送信し、インターフェース要求メッセージは、バックアップＭＭＥの識別、およびＭＭＥプールのプール識別を含み、したがって、ＤＮＳサーバが、プール識別、およびバックアップＭＭＥの識別に基づいて、バックアップＭＭＥのインターフェース情報を獲得するようになり、
サービングＭＭＥは、ＤＮＳサーバにより送信されたインターフェース応答メッセージを受信し、インターフェース応答メッセージは、バックアップＭＭＥのインターフェース情報を含む。
【００８４】
図３に対応する実施形態における方法を使用することによって、サービス要求メッセージを受信する前に、サービングＭＭＥは、第１のＦＱＤＮを使用することによって、ＭＭＥプール内の全てのＭＭＥのＭＭＥＣ、および各ＭＭＥに対応するＬＩＳＴ＿ＩＤに関する情報を獲得し、解析を用いて、図４に示されたＭＭＥプール内の全てのＭＭＥのバックアップ関係を取得し、第３のＦＱＤＮを使用することによって、ＭＭＥプール内の全てのＭＭＥの全ての利用可能なインターフェースに関する情報を問い合わせ得ることに留意されたい。ＵＥのサービス要求メッセージを受信した後、サービングＭＭＥは、ＵＥがアタッチされたＭＭＥのＭＭＥＣ情報を使用することによって、全てのＭＭＥのバックアップ関係から、ＵＥがアタッチされたＭＭＥのバックアップＭＭＥ、およびバックアップＭＭＥの利用可能なインターフェースに関する情報を直接獲得し、バックアップＭＭＥの利用可能なインターフェースを使用することによって、サービス要求メッセージを受信した後ごとにＤＮＳサーバに上記のメッセージを問い合わせる必要なしに、ＵＥのユーザ情報を獲得し得るので、それにより、シグナリングオーバーヘッドを低減する。
【００８５】
サービングＭＭＥは、バックアップＭＭＥのインターフェースを使用することによって、ユーザ情報要求メッセージをバックアップＭＭＥに送信し、ユーザ情報要求メッセージは、ＵＥの識別情報を含む。バックアップＭＭＥは、ＵＥの識別情報に基づいて、ＵＥのユーザ情報を獲得し、ＵＥのユーザ情報をサービングＭＭＥに送信する。
【００８６】
サービングＭＭＥが、ＵＥがアタッチされたＭＭＥのバックアップＭＭＥとバックアップＭＭＥのインターフェースとを獲得するプロセスは、ＵＥがアタッチされたＭＭＥが、バックアップＭＭＥとバックアップＭＭＥのインターフェースとを獲得するプロセスに類似していることに留意されたい。詳細な技術的特徴については、図３に対応する前述の実施形態が参照されてよく、詳細は、本発明のこの実施形態では再び説明されない。
【００８７】
サービス要求メッセージが、ＵＥのＶｏＬＴＥモバイル発信サービス要求メッセージである、もしくはサービス要求メッセージが、ＵＥのＣＳＦＢ要求メッセージもしくは１ｘＣＳＦＢ要求メッセージである場合、ＵＥがアタッチされたＭＭＥの識別情報は、ＵＥがアタッチされたＭＭＥのＭＭＥＣ情報であり、ＵＥの識別情報は、ＵＥのＳ−ＴＭＳＩ情報であり、または、サービス要求メッセージがＵＥのＴＡＵ要求メッセージである場合、ＵＥがアタッチされたＭＭＥの識別情報は、ＵＥがアタッチされたＭＭＥによってＵＥに割り当てられたＧＵＴＩ情報であり、ＧＵＴＩ情報は、ＵＥがアタッチされたＭＭＥのＭＭＥＣ情報を含み、ＵＥの識別情報は、ＵＥのＳ−ＴＭＳＩ情報であることに留意されたい。
【００８８】
問い合わせ要求メッセージに含まれる、ＵＥがアタッチされたＭＭＥの識別は、ＵＥのためにサービスを提供するように、ＵＥがアタッチされたＭＭＥに対してＵＥが要求することを識別することに留意されたい。従来技術では、ＵＥがアタッチされたＭＭＥが故障した後、ＵＥのためにサービスを提供するｅＮｏｄｅＢが、ＵＥのサービス要求メッセージをＭＭＥプール内の別のＭＭＥに送信し、この別のＭＭＥがサービングＭＭＥと呼ばれることがある。サービングＭＭＥは、ＵＥのユーザ情報が欠如しているので、ＵＥのサービス要求を拒否する。この場合、ＵＥが新しいアタッチ手順を通してサービングＭＭＥにアタッチし、ＵＥがサービス要求を再開し、この場合、ＵＥによって開始されたサービス要求メッセージは、ＵＥのためにサービスを提供するようにサービングＭＭＥに対してＵＥが要求することを示す、サービングＭＭＥの識別を含む。
【００８９】
５０３．  サービングＭＭＥは、ＵＥのユーザ情報に基づいて、ＵＥのためにサービス要求メッセージに対応するサービスを提供する。
【００９０】
特に、サービングＭＭＥがＵＥのユーザ情報を獲得した後、サービングＭＭＥは、ＵＥのユーザ情報に基づいて、ＵＥが許可されたＵＥであるかどうかを決定する必要がさらにある。ＵＥが許可されたＵＥでない場合、サービングＭＭＥは、ＵＥのサービス要求を直接的に拒否し、ＵＥが許可されたＵＥである場合、サービングＭＭＥは、修正要求メッセージを、サービングＭＭＥが接続されたＳＧＷおよびＨＳＳに送信する必要がさらにあり、修正要求メッセージは、ＵＥの識別情報を搬送し、修正要求メッセージは、ＵＥとＵＥがアタッチされたＭＭＥとの間の対応関係を、ＵＥとサービングＭＭＥとの間の対応関係に修正するように、ＳＧＷおよびＨＳＳに要求するために使用される。加えて、サービングＭＭＥは、ＧＵＴＩをＵＥに再割り当てする必要がさらにあり、そうすることで、ＵＥがサービングＭＭＥにアタッチするようになり、以降は、ＵＥの全てのサービスがサービングＭＭＥによって達成される。
【００９１】
サービングＭＭＥは、予め設定された時間を遅延して、修正要求メッセージをＨＳＳに送信することに留意されたい。これを行う理由は、ＵＥがアタッチされたＭＭＥに対してアタッチされた何万ものユーザが存在し、ＵＥがアタッチされたＭＭＥが故障した後、元のＭＭＥにアタッチされたＵＥが、ＭＭＥプール内の正常に動作するＭＭＥに、それらのＵＥのためにサービスを提供することを求めるからである。この場合、各サービングＭＭＥが修正要求メッセージをＨＳＳに送信すれば、ＨＳＳは、短時間に大量の修正要求メッセージを受信するので、ＨＳＳに比較的重い負荷をもたらし、輻輳現象を生じることがある。加えて、ＨＳＳはＬＴＥコアネットワークにおいて重要なネットワーク要素であるので、ＨＳＳの輻輳は、ネットワークサービスの処理に大きく影響する。したがって、サービングＭＭＥは、予め設定された時間を遅延して、修正要求メッセージをＨＳＳに送信することで、ＨＳＳの負荷が短時間に急激に増大することを回避する。
【００９２】
たとえば、ＵＥがアタッチされたＭＭＥに対してアタッチされた１万のユーザが存在し、ＵＥがアタッチされたＭＭＥが故障したとき、ＨＳＳが１万個の修正要求メッセージを受信する必要があるので、ＨＳＳの負荷を急激に増大させ、輻輳をもたらすことがある。しかしながら、サービングＭＭＥが修正要求の送信を遅延して、１秒当たり１００個の修正要求を送信し、１００秒で修正要求をＨＳＳに送信すれば、単位時間当たりのＨＳＳの負荷が低減されることが可能であり、ＨＳＳに対する影響が低減される。
【００９３】
さらに、ＨＳＳが大量の他のサービスをさらに負担する、たとえば、ＵEがＶｏＬＴＥ被呼者として使用されるとき、ＨＳＳは、ＵＥが現在配置されたドメインに関する情報を決定するために、ドメイン選択手順を達成する必要がさらにあり、ＨＳＳが輻輳されている場合、ＵＥのＶｏＬＴＥ着信呼サービスが失敗する。
【００９４】
加えて、ＨＳＳが、サービングＭＭＥの修正要求を受信する前に、ＵＥのＶｏＬＴＥ着信呼サービスを行う必要がある場合、ＨＳＳは、ＵＥのＶｏＬＴＥ着信呼サービスが失敗しないように、上記のドメイン選択手順で必要とされるＵＥに関する情報を取得するために、正常に動作する任意のＭＭＥをプールから選択する。
【００９５】
さらに、本発明のこの実施形態では、ＵＥが２Ｇ／３ＧネットワークにおけるＣＳドメイン内のコアネットワークのＭＳＣネットワーク要素に登録した場合、サービングＭＭＥは、位置更新要求メッセージをＭＳＣに送信する必要がさらにあり、位置更新要求メッセージは、ＭＳＣに登録したＭＭＥに関する情報を更新するために使用される。ＵＥがＣＤＭＡ２０００ネットワークにおけるコアネットワークの１ｘＣＳ  ＩＷＳネットワーク要素に登録した場合、サービングＭＭＥは、ＭＭＥ変更通知メッセージを１ｘＣＳ  ＩＷＳに送信する必要がさらにあり、ＭＭＥ変更通知メッセージは、１ｘＣＳ  ＩＷＳに登録したＭＭＥに関する情報を更新するために使用される。
【００９６】
本発明のこの実施形態では、サービングＭＭＥは、ＵＥのためにサービスを提供する基地局に対して指示メッセージを送信して、無線側のリンクおよびベアラを確立するように基地局に命令し、また、要求メッセージをＳＧＷに送信して、サービングＭＭＥとＳＧＷインターフェースとの間のトンネルを確立することを要求する必要がさらにある。
【００９７】
さらに、２Ｇ／３ＧネットワークにおけるＣＳドメイン内のコアネットワークにおけるＭＳＣネットワーク要素が、ＴＭＳＩをＵＥに再割り当てする場合、サービングＭＭＥは、ＩＭＳＩとＴＭＳＩとの間の対応関係を再確立するようにＵＥに命令する必要がさらにある。
【００９８】
本発明のこの実施形態では、ＵＥが、広帯域符号分割多元接続（Wideband Code Division Multiple Access、ＷＣＤＭＡ）ネットワークにフォールバックする回線交換フォールバック（Circuit Switched Fallback、ＣＳＦＢ）モバイル発信サービス、またはＷＣＤＭＡ２０００ネットワークにフォールバックする１ｘＣＳＦＢモバイル発信サービスを行う必要があるとき、サービングＭＭＥは、ＵＥが回線交換ドメインにフォールバックすることを可能にするように、基地局に命令する。
【００９９】
本発明のこの実施形態はサービス冗長方法を提供する。この方法では、ＵＥがアタッチされたＭＭＥが故障し、ＵＥのためにサービスを提供する基地局が故障を検出した後、基地局は、ＵＥのサービス要求メッセージを、ＵＥがアタッチされたＭＭＥが配置されたプール内の別の正常のＭＭＥに送信し、この別の正常のＭＭＥは、ＵＥのサービングＭＭＥとして使用される。サービングＭＭＥが、ＵＥがアタッチされたＭＭＥのバックアップＭＭＥであるとき、サービングＭＭＥは、ＵＥの識別情報に基づいて、サービングＭＭＥの記憶域からＵＥのユーザ情報を獲得する。サービングＭＭＥが、ＵＥがアタッチされたＭＭＥのバックアップＭＭＥでない場合、サービングＭＭＥは、ＵＥがアタッチされたＭＭＥのバックアップＭＭＥに関する情報を獲得し、ＵＥのユーザ情報をバックアップＭＭＥに要求し、そして、サービングＭＭＥは、ＵＥのユーザ情報に基づいてＵＥのためにサービスを提供し、したがって、ＵＥのサービスは一度で成功できるようになり、ＨＳＳ輻輳を回避する効果が、ＨＳＳに登録要求を送信するのを遅延することによって達成され、それにより、サービス冗長効果が比較的低いという従来技術の問題を解決する。
【０１００】
サービス冗長効果が比較的低いという従来技術の問題を解決するために、図６を参照して、本発明の実施形態はサービス冗長方法をさらに提供し、この方法は以下のステップを含む。
【０１０１】
６０１．  ユーザ機器ＵＥがアタッチされたモビリティ管理エンティティＭＭＥが故障した後、サービングＭＭＥは、第２世代モバイル通信技術２Ｇネットワークまたは第３世代モバイル通信技術３Ｇネットワークにおける回線交換ＣＳドメイン内のコアネットワークのネットワーク要素によって送信されたページング要求メッセージを受信し、ここでページング要求メッセージは、ＵＥの識別を含み、ページング要求メッセージは、ＵＥに対するＣＳＦＢページングまたは１ｘＣＳＦＢページングを開始することを要求するために使用され、サービングＭＭＥは、ＵＥがアタッチされたＭＭＥが故障したときに、ＵＥのためにサービスを提供するＭＭＥであり、ＵＥがアタッチされたＭＭＥ、およびサービングＭＭＥは、同じＭＭＥプールに配置されている。
【０１０２】
ＵＥが、ＣＳＦＢ／１ｘＣＳＦＢの被呼ユーザとして使用されるとき、ＵＥがフォールバックする２Ｇ／３ＧネットワークにおけるＣＳドメイン内のネットワーク要素が、ページング要求メッセージをＵＥがアタッチされたＭＭＥに送信して、ＵＥがアタッチされたＭＭＥがＵＥにページングするようにする。
【０１０３】
ＵＥがアタッチされたＭＭＥが故障した後、２Ｇ／３ＧネットワークにおけるＣＳドメイン内のネットワーク要素が、ページング要求メッセージを、ＵＥがアタッチされたＭＭＥが配置されたプール内の正常のＭＭＥに送信し、正常のＭＭＥは、ページング要求メッセージを処理するサービングＭＭＥとして使用される。
【０１０４】
ＣＳＦＢおよび１ｘＣＳＦＢは両方とも回線交換フォールバックであるが、ＵＥがフォールバックする各々対応するネットワークが異なる場合、ＣＳＦＢについては、広帯域符号分割多元接続（Wideband Code Division Multiple Access、ＷＣＤＭＡ）ネットワークにＵEがフォールバックし、１ｘＣＳＦＢについては、ＷＣＤＭＡ２０００ネットワークにＵEがフォールバックすることに留意されたい。
【０１０５】
６０２．  サービングＭＭＥは、ＵＥの識別に基づいて、ＵＥのユーザ情報を獲得する。
【０１０６】
特に、サービングＭＭＥが、ＵＥがアタッチされたＭＭＥのバックアップＭＭＥである場合、ＵＥがアタッチされたＭＭＥが故障する前に、サービングＭＭＥは、ＵＥがアタッチされたＭＭＥにより送信されたＵＥのユーザ情報およびＵＥの識別をさらに受信し、ＵＥのユーザ情報とＵＥの識別との間の対応関係を記録する。この場合、サービングＭＭＥは、ＵＥの識別に基づいて、ＵＥのユーザ情報であってサービングＭＭＥによって保存されたユーザ情報を獲得することができる。
【０１０７】
サービングＭＭＥが、ＵＥがアタッチされたＭＭＥのバックアップＭＭＥでない場合、サービングＭＭＥは、ブロードキャスト要求メッセージをＭＭＥプール内の全てのＭＭＥに送信し、ブロードキャスト要求メッセージは、ＵＥの識別を含み、ブロードキャスト要求メッセージは、ＵＥのユーザ情報を獲得することを要求するために使用される。ブロードキャスト要求メッセージを受信した後、ＵＥがアタッチされたＭＭＥのバックアップＭＭＥが、ブロードキャスト応答メッセージをサービングＭＭＥに送信し、ブロードキャスト応答メッセージは、ＵＥのユーザ情報を含む。
【０１０８】
６０３．  サービングＭＭＥは、ユーザ情報に基づいて、ＵＥが配置されたトラッキングエリアを獲得し、トラッキングエリアにおいてページング要求を開始する。
【０１０９】
従来技術では、ＵＥがアタッチされたＭＭＥが故障した後、ＵＥがフォールバックする２Ｇ／３Ｇコアネットワークにおけるネットワーク要素が、予め設定されたポリシーを使用することによって、やはり、ＭＭＥプール内の別のＭＭＥを、ページング要求を開始するためにＵＥのサービングＭＭＥとして選択するが、このサービングＭＭＥは、ＵＥのユーザ情報を有していない。したがって、サービングＭＭＥは、ＵＥが配置されたトラッキングエリアを獲得することができず、サービングＭＭＥは、複数のトラッキングエリアにおいてＵＥにページングできるだけであり、ページング効率が比較的低い。
【０１１０】
しかしながら、本発明では、サービングＭＭＥが、ＵＥのユーザ情報に基づいて、ＵＥのトラッキングエリアに関する情報を獲得し、ＵＥのトラッキングエリアにおいてページング手順を開始することにより、ページング効率を大きく改善する。
【０１１１】
特に、本発明の詳細な技術的特徴については、図５に対応する前述の実施形態の技術的特徴が参照されてよく、詳細は、本発明のこの実施形態では再び説明されない。
【０１１２】
本発明のこの実施形態はサービス冗長方法を提供する。この方法では、ＵＥがＣＳＦＢ／１ｘＣＳＦＢの被呼ユーザとして使用され、ＵＥがアタッチされたＭＭＥが故障した後、ＵＥがフォールバックする２Ｇ／３ＧネットワークにおけるＣＳドメイン内のネットワーク要素が、ページング要求メッセージを、ＭＭＥプール内の正常に動作する別のＭＭＥに送信し、この正常に動作するＭＭＥは、ページング要求メッセージを処理するためにサービングＭＭＥとして使用される。サービングＭＭＥは、サービングＭＭＥそれ自体から、またはＵＥがアタッチされたＭＭＥのバックアップＭＭＥから、ＵＥのユーザ情報を獲得し、ＵＥのユーザ情報から、ＵＥのトラッキングエリアに関する情報を獲得し、トラッキングエリアにおいてページング手順を開始し、したがって、ＵＥのＣＳＦＢ／１ｘＣＳＦＢモバイル着信呼サービスは一度で成功するようになり、それにより、サービス冗長効果が比較的低いという従来技術の問題を解決する。
【０１１３】
サービス冗長効果が比較的低いという従来技術の問題を解決するために、図７を参照して、本発明の実施形態はＭＭＥをさらに提供し、ＭＭＥは、送信ユニット７０１、受信ユニット７０２、および決定ユニット７０３を備え、
送信ユニット７０１は、要求メッセージをドメインネームシステムＤＮＳサーバに送信するように構成され、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用され、
受信ユニット７０２は、ＤＮＳサーバにより送信された要求応答メッセージを受信するように構成され、要求応答メッセージは、ＭＭＥプール内の全てのＭＭＥのＭＭＥＣを含み、
決定ユニット７０３は、ＭＭＥプール内の全てのＭＭＥのＭＭＥＣに基づいて、および予め設定されたポリシーに基づいて、ＭＭＥのバックアップＭＭＥを決定するように構成される。
【０１１４】
送信ユニット７０１は、インターフェース要求メッセージをＤＮＳサーバに送信するようにさらに構成され、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用され、
受信ユニット７０２は、ＤＮＳサーバにより送信されたインターフェース応答メッセージを受信するようにさらに構成され、インターフェース応答メッセージは、バックアップＭＭＥのインターフェース情報を含み、
送信ユニット７０１は、バックアップＭＭＥのインターフェース情報に基づいて、ＭＭＥにアタッチされたユーザ機器ＵＥのユーザ情報をバックアップＭＭＥに送信するようにさらに構成される。
【０１１５】
特に、決定ユニット７０３は、
ＭＭＥＣの昇順に基づいて、ＭＭＥプール内の全てのＭＭＥのＭＭＥＣをソートして、ソート結果を取得し、
ＭＭＥのＭＭＥＣに隣接しＭＭＥのＭＭＥＣよりも大きいＭＭＥＣに対応するＭＭＥを、バックアップＭＭＥとして使用し、ＭＭＥのＭＭＥＣがソート結果において最も大きい場合、ソート結果においてＭＭＥＣが最も小さいＭＭＥを、バックアップＭＭＥとして使用するように構成される。
【０１１６】
特に、送信ユニット７０１は、
バックアップＭＭＥのインターフェース情報に対応するインターフェースを使用することによって、バックアップ要求メッセージをバックアップＭＭＥに送信するように構成され、バックアップ要求メッセージは、ＵＥの識別、およびＵＥのユーザ情報を含み、バックアップ要求メッセージは、ＵＥのユーザ情報をバックアップするようにバックアップＭＭＥに要求するために使用される。
【０１１７】
本発明のこの実施形態はＭＭＥを提供する。ＭＭＥが、ＭＭＥにアタッチされたＵＥのユーザ情報をバックアップする必要があるとき、ＭＭＥは、ＦＱＤＮを使用することによって、ＤＮＳサーバより、ＭＭＥが配置されたプール内の全てのＭＭＥのＭＭＥＣ情報を問い合わせ、予め設定されたポリシーに基づいてＭＭＥのバックアップＭＭＥに関する情報を獲得し、ＤＮＳサーバより、バックアップＭＭＥの利用可能なインターフェースに関する情報を問い合わせ、バックアップＭＭＥの利用可能なインターフェースを使用することによって、ＵＥのユーザ情報をバックアップＭＭＥにバックアップするので、ＭＭＥが故障したとき、ＭＭＥプール内の別のＭＭＥが、バックアップＭＭＥからＵＥのユーザ情報を獲得して、ＵＥのためにサービスを提供するようになる。したがって、ＵＥのサービスが一度で成功することが可能であり、それにより、サービス冗長効果が比較的低いという従来技術の問題を解決する。
【０１１８】
サービス冗長効果が比較的低いという従来技術の問題を解決するために、図８を参照して、本発明の実施形態はＤＮＳサーバをさらに提供し、ＤＮＳサーバは、受信ユニット８０１、第１の獲得ユニット８０２、送信ユニット８０３、および第２の獲得ユニット８０４を備え、
受信ユニット８０１は、モビリティ管理エンティティＭＭＥにより送信された要求メッセージを受信するように構成され、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用され、
第１の獲得ユニット８０２は、ＭＭＥプールのプール識別に基づいて、ＭＭＥプールのプール識別に対応するＭＭＥプール内の全てのＭＭＥのＭＭＥＣを獲得するように構成され、
送信ユニット８０３は、要求応答メッセージをＭＭＥに送信するように構成され、要求応答メッセージは、全てのＭＭＥのＭＭＥＣを含み、したがって、ＭＭＥが、全てのＭＭＥのＭＭＥＣに基づいて、ＭＭＥのバックアップＭＭＥを決定するようになる。
【０１１９】
受信ユニット８０１は、ＭＭＥにより送信されたインターフェース要求メッセージを受信するようにさらに構成され、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用され、
第２の獲得ユニット８０４は、バックアップＭＭＥのＭＭＥＣ、およびＭＭＥプールのプール識別に基づいて、バックアップＭＭＥのインターフェース情報を獲得するように構成され、
送信ユニット８０３は、インターフェース応答メッセージをＭＭＥに送信するように構成され、インターフェース応答メッセージは、バックアップＭＭＥのインターフェース情報を含み、したがって、ＭＭＥが、バックアップＭＭＥのインターフェース情報に基づいて、ＭＭＥにアタッチされたユーザ機器ＵＥのユーザ情報をバックアップＭＭＥに送信するようになる。
【０１２０】
本発明のこの実施形態はＤＮＳサーバを提供する。ＭＭＥプール内の全てのＭＭＥのＭＭＥＣ情報、および全てのＭＭＥの利用可能なインターフェースに関する情報が、ＤＮＳサーバにおいて予め構成される。ＭＭＥプール内のＭＭＥが、ＭＭＥにアタッチされたＵＥのユーザ情報をバックアップする必要があるとき、ＭＭＥは、ＦＱＤＮを使用することによって、ＤＮＳサーバより、ＭＭＥが配置されたＭＭＥプール内の全てのＭＭＥのＭＭＥＣ情報を問い合わせ、予め設定されたポリシーを使用することによって、全てのＭＭＥのＭＭＥＣ情報に基づいて、ＭＭＥのバックアップＭＭＥに関する情報を獲得し、ＤＮＳサーバより、バックアップＭＭＥの利用可能なインターフェースに関する情報を問い合わせ、バックアップＭＭＥの利用可能なインターフェースを使用することによって、ＵＥのユーザ情報をバックアップＭＭＥにバックアップするので、ＭＭＥが故障したとき、ＭＭＥプール内の別のＭＭＥが、バックアップＭＭＥからＵＥのユーザ情報を獲得して、ＵＥのためにサービスを提供するようになる。したがって、ＵＥのサービスが一度で成功することが可能であり、それにより、サービス冗長効果が比較的低いという従来技術の問題を解決する。
【０１２１】
サービス冗長効果が比較的低いという従来技術の問題を解決するために、図９を参照して、本発明の実施形態はサービングＭＭＥをさらに提供し、ＭＭＥは、受信ユニット９０１、獲得ユニット９０２、およびサービングユニット９０３を備え、
受信ユニット９０１は、ユーザ機器ＵＥがアタッチされたモビリティ管理エンティティＭＭＥが故障した後、進化型ノードＢ  ｅＮｏｄｅＢを使用することによってＵＥにより送信されたサービス要求メッセージを受信するように構成され、サービス要求メッセージは、ＵＥの識別、およびＵＥがアタッチされたＭＭＥの識別を含み、サービス要求メッセージは、ＵＥのためにサービスを提供するように、ＵＥがアタッチされたＭＭＥに要求するために使用され、サービングＭＭＥは、ＵＥがアタッチされたＭＭＥが故障した後、ＵＥのためにサービスを提供するように、ｅＮｏｄｅＢによって選択されたＭＭＥであり、ＵＥがアタッチされたＭＭＥ、およびサービングＭＭＥは、同じＭＭＥプールに配置されており、
獲得ユニット９０２は、ＵＥの識別に基づいて、またはＵＥの識別およびＵＥがアタッチされたＭＭＥの識別に基づいて、ＵＥのユーザ情報を獲得するように構成され、
サービングユニット９０３は、ＵＥのユーザ情報に基づいて、ＵＥのためにサービス要求メッセージに対応するサービスを提供するように構成される。
【０１２２】
任意選択で、受信ユニット９０１は、ＵＥがアタッチされたＭＭＥにより送信されたＵＥのユーザ情報およびＵＥの識別を受信し、ＵＥのユーザ情報とＵＥの識別との間の対応関係を記録するようにさらに構成され、
獲得ユニット９０２は、ＵＥの識別に基づいて、ＵＥのユーザ情報であってサービングＭＭＥによって保存されたユーザ情報を獲得するように特に構成される。
【０１２３】
特に、獲得ユニット９０２は、ＵＥがアタッチされたＭＭＥの識別に基づいて、ＵＥがアタッチされたＭＭＥのバックアップＭＭＥのインターフェース情報を獲得し、バックアップＭＭＥから、ＵＥの識別、およびバックアップＭＭＥのインターフェース情報に基づいて、ＵＥのユーザ情報を獲得するように構成され、バックアップＭＭＥおよびサービングＭＭＥは、同じＭＭＥプールに配置されている。
【０１２４】
特に、ＵＥがアタッチされたＭＭＥの識別は、ＵＥがアタッチされたＭＭＥのＭＭＥコードＭＭＥＣであり、獲得ユニット９０２は、
要求メッセージをドメインネームシステムＤＮＳサーバに送信することであって、要求メッセージは、サービングＭＭＥが配置されたＭＭＥプールのプール識別を含み、要求メッセージは、ＭＭＥプール内の全てのＭＭＥのＭＭＥコードＭＭＥＣを獲得することを要求するために使用される、送信することと、
ＤＮＳサーバにより送信された要求応答メッセージを受信することであって、要求応答メッセージは、ＭＭＥプール内の全てのＭＭＥのＭＭＥＣを含む、受信することと、
ＵＥがアタッチされたＭＭＥのＭＭＥＣ、および全てのＭＭＥのＭＭＥＣに基づいて、ならびに予め設定されたポリシーに基づいて、ＵＥがアタッチされたＭＭＥのバックアップＭＭＥを獲得することと、
インターフェース要求メッセージをＤＮＳサーバに送信することであって、インターフェース要求メッセージは、バックアップＭＭＥのＭＭＥＣ、およびＭＭＥプールのプール識別を含み、したがって、ＤＮＳサーバが、ＭＭＥプールのプール識別、およびバックアップＭＭＥのＭＭＥＣに基づいて、バックアップＭＭＥのインターフェース情報を獲得するようになる、送信することと、
ＤＮＳサーバにより送信されたインターフェース応答メッセージを受信することであって、インターフェース応答メッセージは、バックアップＭＭＥのインターフェース情報を含む、受信することと
を行うように特に構成される。
【０１２５】
特に、サービス要求メッセージは、ＵＥのボイスオーバーロングタームエボリューションＶｏＬＴＥモバイル発信サービス要求メッセージ、もしくはＵＥの回線交換フォールバックＣＳＦＢ要求メッセージ、もしくはＵＥの１ｘＣＳＦＢ要求メッセージであり、ＵＥがアタッチされたＭＭＥの識別は、ＵＥがアタッチされたＭＭＥのＭＭＥＣであり、または、
サービス要求メッセージは、ＵＥの位置登録ＴＡＵ要求メッセージであり、ＵＥがアタッチされたＭＭＥの識別は、ＵＥがアタッチされたＭＭＥによってＵＥに割り当てられたＧＵＴＩであり、ＧＵＴＩは、ＵＥがアタッチされたＭＭＥのＭＭＥＣを含む。
【０１２６】
特に、ＵＥの識別は、ＵＥのショート一時モバイル加入者識別Ｓ−ＴＭＳＩである。
【０１２７】
特に、サービングＭＭＥは、決定ユニット９０４および送信ユニット９０５をさらに備え、
決定ユニット９０４は、ＵＥのユーザ情報に基づいて、ＵＥが許可されたユーザであることを決定するように構成され、
送信ユニット９０５は、ＭＭＥに接続されたサービングゲートウェイＳＧＷおよびホーム加入者サーバＨＳＳに対して、修正要求メッセージを別々に送信するように構成され、修正要求メッセージは、ＵＥの識別を含み、修正要求メッセージは、ＵＥとＵＥがアタッチされたＭＭＥとの間の対応関係をＵＥとサービングＭＭＥとの間の対応関係に修正するように、ＳＧＷまたはＨＳＳに要求するために使用され、送信ユニット９０５は、ＧＵＴＩをＵＥに再割り当てし、再割り当てされたＧＵＴＩをＵＥに送信するようにさらに構成され、したがって、ＵＥがサービングＭＭＥにアタッチされるようになる。
【０１２８】
本発明のこの実施形態はサービングＭＭＥを提供する。ＵＥがアタッチされたＭＭＥが故障し、ＵＥのためにサービスを提供する基地局が故障を検出した後、基地局は、ＵＥのサービス要求メッセージをＭＭＥに送信する。ＭＭＥが、ＵＥがアタッチされたＭＭＥのバックアップＭＭＥであるとき、ＭＭＥは、ＵＥの識別情報に基づいて、ＭＭＥそれ自体の記憶域からＵＥのユーザ情報を獲得する。ＭＭＥが、ＵＥがアタッチされたＭＭＥのバックアップＭＭＥでない場合、ＭＭＥは、ＵＥがアタッチされたＭＭＥのバックアップＭＭＥに関する情報を獲得し、ＵＥのユーザ情報をバックアップＭＭＥに要求し、そして、ＭＭＥは、ＵＥのユーザ情報に基づいてＵＥのためにサービスを提供し、それによりＵＥのサービスは一度で成功できるようになり、ＨＳＳ輻輳を回避する効果が、ＨＳＳに登録要求を送信するのを遅延することによって達成され、それにより、サービス冗長効果が比較的低いという従来技術の問題を解決する。
【０１２９】
サービス冗長効果が比較的低いという従来技術の問題を解決するために、図１０を参照して、本発明の実施形態はサービングＭＭＥをさらに提供し、サービングＭＭＥは、受信ユニット１００１、獲得ユニット１００２、およびページングユニット１００３を備え、
受信ユニット１００１は、ユーザ機器ＵＥがアタッチされたモビリティ管理エンティティＭＭＥが故障した後、第２世代モバイル通信技術２Ｇネットワークまたは第３世代モバイル通信技術３Ｇネットワークにおける回線交換ＣＳドメイン内のコアネットワークのネットワーク要素によって送信されたページング要求メッセージを受信するように構成され、ページング要求メッセージは、ＵＥの識別を含み、ページング要求メッセージは、ＵＥに対するＣＳＦＢページングまたは１ｘＣＳＦＢページングを開始することを要求するために使用され、サービングＭＭＥは、ＵＥがアタッチされたＭＭＥが故障したときに、ＵＥのためにサービスを提供するＭＭＥであり、ＵＥがアタッチされたＭＭＥ、およびサービングＭＭＥは、同じＭＭＥプールに配置されており、
獲得ユニット１００２は、ＵＥの識別に基づいて、ＵＥのユーザ情報を獲得するように構成され、
ページングユニット１００３は、ユーザ情報に基づいて、ＵＥが配置されたトラッキングエリアを獲得し、トラッキングエリアにおいてページング要求を開始するように構成される。
【０１３０】
任意選択で、サービングＭＭＥは、記録ユニット１００４をさらに備え、
受信ユニット１００１は、ＵＥがアタッチされたＭＭＥにより送信されたＵＥのユーザ情報およびＵＥの識別を受信するようにさらに構成され、
記録ユニット１００４は、ＵＥのユーザ情報とＵＥの識別との間の対応関係を記録するように構成され、
獲得ユニット１００２は、ＵＥの識別に基づいて、ＵＥのユーザ情報であってサービングＭＭＥによって保存されたユーザ情報を獲得するように構成される。
【０１３１】
特に、サービングＭＭＥは、送信ユニット１００５をさらに備え、
送信ユニット１００５は、ブロードキャスト要求メッセージをＭＭＥプール内の全てのＭＭＥに送信するように構成され、ブロードキャスト要求メッセージは、ＵＥの識別を含み、ブロードキャスト要求メッセージは、ＵＥのユーザ情報を獲得することを要求するために使用され、
受信ユニット１００１は、ＵＥがアタッチされたＭＭＥのバックアップＭＭＥのブロードキャスト応答メッセージを受信するようにさらに構成され、ブロードキャスト応答メッセージは、ＵＥのユーザ情報を含む。
【０１３２】
本発明のこの実施形態はＭＭＥを提供する。ＵＥがＣＳＦＢ／１ｘＣＳＦＢの被呼ユーザとして使用され、ＵＥがアタッチされたＭＭＥが故障した後、ＵＥがフォールバックする２Ｇ／３ＧネットワークにおけるＣＳドメイン内のネットワーク要素が、ページング要求メッセージをＭＭＥに送信する。ＭＭＥは、ＭＭＥそれ自体から、またはＵＥがアタッチされたＭＭＥのバックアップＭＭＥから、ＵＥのユーザ情報を獲得し、ＵＥのユーザ情報から、ＵＥのトラッキングエリアに関する情報を獲得し、トラッキングエリアにおいてページング手順を開始し、したがって、ＵＥのＣＳＦＢ／１ｘＣＳＦＢモバイル着信呼サービスは一度で成功するようになり、それにより、サービス冗長効果が比較的低いという従来技術の問題を解決する。
【０１３３】
サービス冗長効果が比較的低いという従来技術の問題を解決するために、図１１を参照して、本発明の実施形態はＭＭＥをさらに提供し、ＭＭＥは、送信機１１０５、プロセッサ１１０２、バス１１０３、メモリ１１０４、および受信機１１０１を備え、
送信機１１０５は、要求メッセージをドメインネームシステムＤＮＳサーバに送信するように構成され、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用され、
受信機１１０１は、ＤＮＳサーバにより送信された要求応答メッセージを受信するように構成され、要求応答メッセージは、ＭＭＥプール内の全てのＭＭＥのＭＭＥＣを含み、
プロセッサ１１０２は、バス１１０３を使用することによってメモリ１１０４内の命令を取得することにより、ＭＭＥプール内の全てのＭＭＥのＭＭＥＣに基づいて、および予め設定されたポリシーに基づいて、ＭＭＥのバックアップＭＭＥを決定する。
【０１３４】
送信機１１０５は、インターフェース要求メッセージをＤＮＳサーバに送信するようにさらに構成され、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用され、
受信機１１０１は、ＤＮＳサーバにより送信されたインターフェース応答メッセージを受信するようにさらに構成され、インターフェース応答メッセージは、バックアップＭＭＥのインターフェース情報を含み、
プロセッサ１１０２は、送信機１１０５を使用することによって、バックアップＭＭＥのインターフェース情報に基づいて、ＭＭＥにアタッチされたユーザ機器ＵＥのユーザ情報をバックアップＭＭＥに送信するようにさらに構成される。
【０１３５】
特に、プロセッサ１１０２は、ＭＭＥＣの昇順に基づいて、ＭＭＥプール内の全てのＭＭＥのＭＭＥＣをソートして、ソート結果を取得し、
ＭＭＥのＭＭＥＣに隣接しＭＭＥのＭＭＥＣよりも大きいＭＭＥＣに対応するＭＭＥを、バックアップＭＭＥとして使用し、ＭＭＥのＭＭＥＣがソート結果において最も大きい場合、ソート結果においてＭＭＥＣが最も小さいＭＭＥを、バックアップＭＭＥとして使用するように構成される。
【０１３６】
特に、プロセッサ１１０２は、送信機１１０５を使用することにより、バックアップＭＭＥのインターフェース情報に対応するインターフェースを使用することによって、バックアップ要求メッセージをバックアップＭＭＥに送信するように構成され、バックアップ要求メッセージは、ＵＥの識別、およびＵＥのユーザ情報を含み、バックアップ要求メッセージは、ＵＥのユーザ情報をバックアップするようにバックアップＭＭＥに要求するために使用される。
【０１３７】
本発明のこの実施形態はＭＭＥを提供する。ＭＭＥが、ＭＭＥにアタッチされたＵＥのユーザ情報をバックアップする必要があるとき、ＭＭＥは、ＦＱＤＮを使用することによって、ＤＮＳサーバより、ＭＭＥが配置されたプール内の全てのＭＭＥのＭＭＥＣ情報を問い合わせ、予め設定されたポリシーに基づいてＭＭＥのバックアップＭＭＥに関する情報を獲得し、ＤＮＳサーバより、バックアップＭＭＥの利用可能なインターフェースに関する情報を問い合わせ、バックアップＭＭＥの利用可能なインターフェースを使用することによって、ＵＥのユーザ情報をバックアップＭＭＥにバックアップするので、ＭＭＥが故障したとき、ＭＭＥプール内の別のＭＭＥが、バックアップＭＭＥからＵＥのユーザ情報を獲得して、ＵＥのためにサービスを提供するようになる。したがって、ＵＥのサービスが一度で成功することが可能であり、それにより、サービス冗長効果が比較的低いという従来技術の問題を解決する。
【０１３８】
サービス冗長効果が比較的低いという従来技術の問題を解決するために、図１１を参照して、本発明の実施形態はＤＮＳサーバをさらに提供し、ＤＮＳサーバは、受信機１１０１、プロセッサ１１０２、バス１１０３、メモリ１１０４、および送信機１１０５を備え、
受信機１１０１は、モビリティ管理エンティティＭＭＥにより送信された要求メッセージを受信するように構成され、要求メッセージは、ＭＭＥが配置されたＭＭＥプールのプール識別を含み、要求メッセージは、ＭＭＥプール内の全てのＭＭＥのＭＭＥコードＭＭＥＣを獲得することを要求するために使用され、
プロセッサ１１０２は、バス１１０３を使用することによってメモリ１１０４内の命令を獲得することにより、ＭＭＥプールのプール識別に基づいて、ＭＭＥプールのプール識別に対応するＭＭＥプール内の全てのＭＭＥのＭＭＥＣを獲得し、
送信機１１０５は、要求応答メッセージをＭＭＥに送信するように構成され、要求応答メッセージは、全てのＭＭＥのＭＭＥＣを含み、したがって、ＭＭＥが、全てのＭＭＥのＭＭＥＣに基づいて、ＭＭＥのバックアップＭＭＥを決定するようになる。
【０１３９】
受信機１１０１は、ＭＭＥにより送信されたインターフェース要求メッセージを受信するようにさらに構成され、インターフェース要求メッセージは、バックアップＭＭＥのＭＭＥＣ、およびＭＭＥプールのプール識別を含み、インターフェース要求メッセージは、バックアップＭＭＥのインターフェース情報を獲得することを要求するために使用され、
プロセッサ１１０２は、バックアップＭＭＥのＭＭＥＣ、およびＭＭＥプールのプール識別に基づいて、バックアップＭＭＥのインターフェース情報を獲得するようにさらに構成され、
送信機１１０５は、インターフェース応答メッセージをＭＭＥに送信するようにさらに構成され、インターフェース応答メッセージは、バックアップＭＭＥのインターフェース情報を含み、したがって、ＭＭＥが、バックアップＭＭＥのインターフェース情報に基づいて、ＭＭＥにアタッチされたユーザ機器ＵＥのユーザ情報をバックアップＭＭＥに送信するようになる。
【０１４０】
本発明のこの実施形態はＤＮＳサーバを提供する。ＭＭＥプール内の全てのＭＭＥのＭＭＥＣ情報、および全てのＭＭＥの利用可能なインターフェースに関する情報が、ＤＮＳサーバにおいて予め構成される。ＭＭＥプール内のＭＭＥが、ＭＭＥにアタッチされたＵＥのユーザ情報をバックアップする必要があるとき、ＭＭＥは、ＦＱＤＮを使用することによって、ＤＮＳサーバより、ＭＭＥが配置されたＭＭＥプール内の全てのＭＭＥのＭＭＥＣ情報を問い合わせ、予め設定されたポリシーを使用することによって、全てのＭＭＥのＭＭＥＣ情報に基づいて、ＭＭＥのバックアップＭＭＥに関する情報を獲得し、ＤＮＳサーバより、バックアップＭＭＥの利用可能なインターフェースに関する情報を問い合わせ、バックアップＭＭＥの利用可能なインターフェースを使用することによって、ＵＥのユーザ情報をバックアップＭＭＥにバックアップするので、ＭＭＥが故障したとき、ＭＭＥプール内の別のＭＭＥが、バックアップＭＭＥからＵＥのユーザ情報を獲得して、ＵＥのためにサービスを提供するようになる。したがって、ＵＥのサービスが一度で成功することが可能であり、それにより、サービス冗長効果が比較的低いという従来技術の問題を解決する。
【０１４１】
サービス冗長効果が比較的低いという従来技術の問題を解決するために、図１１を参照して、本発明の実施形態はＭＭＥをさらに提供し、ＭＭＥは、受信機１１０１、プロセッサ１１０２、バス１１０３、およびメモリ１１０４を備え、
受信機１１０１は、ユーザ機器ＵＥがアタッチされたモビリティ管理エンティティＭＭＥが故障した後、進化型ノードＢ  ｅＮｏｄｅＢを使用することによってＵＥにより送信されたサービス要求メッセージを受信するように構成され、サービス要求メッセージは、ＵＥの識別、およびＵＥがアタッチされたＭＭＥの識別を含み、サービス要求メッセージは、ＵＥのためにサービスを提供するように、ＵＥがアタッチされたＭＭＥに要求するために使用され、サービングＭＭＥは、ＵＥがアタッチされたＭＭＥが故障した後、ＵＥのためにサービスを提供するように、ｅＮｏｄｅＢによって選択されたＭＭＥであり、ＵＥがアタッチされたＭＭＥ、およびサービングＭＭＥは、同じＭＭＥプールに配置されており、
プロセッサ１１０２は、バス１１０３を使用することによってメモリ１１０４内の命令を獲得することにより、ＵＥの識別に基づいて、またはＵＥの識別およびＵＥがアタッチされたＭＭＥの識別に基づいて、ＵＥのユーザ情報を獲得し、
ＵＥのユーザ情報に基づいて、ＵＥのためにサービス要求メッセージに対応するサービスを提供する。
【０１４２】
特に、受信機１１０１は、ＵＥがアタッチされたＭＭＥにより送信されたＵＥのユーザ情報およびＵＥの識別を受信するようにさらに構成され、
プロセッサ１１０２は、ＵＥのユーザ情報とＵＥの識別との間の対応関係を記録し、
ＵＥの識別に基づいて、ＵＥのユーザ情報であってサービングＭＭＥによって保存されたユーザ情報を獲得するように特に構成される。
【０１４３】
特に、プロセッサ１１０２は、ＵＥがアタッチされたＭＭＥの識別に基づいて、ＵＥがアタッチされたＭＭＥのバックアップＭＭＥのインターフェース情報を獲得し、バックアップＭＭＥから、ＵＥの識別、およびバックアップＭＭＥのインターフェース情報に基づいて、ＵＥのユーザ情報を獲得するように構成され、バックアップＭＭＥおよびサービングＭＭＥは、同じＭＭＥプールに配置されている。
【０１４４】
特に、ＵＥがアタッチされたＭＭＥの識別は、ＵＥがアタッチされたＭＭＥのＭＭＥコードＭＭＥＣであり、サービングＭＭＥは、送信機１１０５をさらに備え、
送信機１１０５は、要求メッセージをドメインネームシステムＤＮＳサーバに送信するように構成され、要求メッセージは、サービングＭＭＥが配置されたＭＭＥプールのプール識別を含み、要求メッセージは、ＭＭＥプール内の全てのＭＭＥのＭＭＥコードＭＭＥＣを獲得することを要求するために使用され、
受信機１１０１は、ＤＮＳサーバにより送信された要求応答メッセージを受信するように構成され、要求応答メッセージは、ＭＭＥプール内の全てのＭＭＥのＭＭＥＣを含み、
プロセッサ１１０２は、ＵＥがアタッチされたＭＭＥのＭＭＥＣ、および全てのＭＭＥのＭＭＥＣに基づいて、ならびに予め設定されたポリシーに基づいて、ＵＥがアタッチされたＭＭＥのバックアップＭＭＥを獲得するように構成され、
送信機１１０５は、インターフェース要求メッセージをＤＮＳサーバに送信するようにさらに構成され、インターフェース要求メッセージは、バックアップＭＭＥのＭＭＥＣ、およびＭＭＥプールのプール識別を含み、したがって、ＤＮＳサーバが、ＭＭＥプールのプール識別、およびバックアップＭＭＥのＭＭＥＣに基づいて、バックアップＭＭＥのインターフェース情報を獲得するようになり、
受信機１１０１は、ＤＮＳサーバにより送信されたインターフェース応答メッセージを受信するようにさらに構成され、インターフェース応答メッセージは、バックアップＭＭＥのインターフェース情報を含む。
【０１４５】
特に、サービス要求メッセージは、ＵＥのボイスオーバーロングタームエボリューションＶｏＬＴＥモバイル発信サービス要求メッセージ、もしくはＵＥの回線交換フォールバックＣＳＦＢ要求メッセージ、もしくはＵＥの１ｘＣＳＦＢ要求メッセージであり、ＵＥがアタッチされたＭＭＥの識別は、ＵＥがアタッチされたＭＭＥのＭＭＥＣであり、または、
サービス要求メッセージは、ＵＥの位置登録ＴＡＵ要求メッセージであり、ＵＥがアタッチされたＭＭＥの識別は、ＵＥがアタッチされたＭＭＥによってＵＥに割り当てられたＧＵＴＩであり、ＧＵＴＩは、ＵＥがアタッチされたＭＭＥのＭＭＥＣを含む。
【０１４６】
特に、ＵＥの識別は、ＵＥのショート一時モバイル加入者識別Ｓ−ＴＭＳＩである。
【０１４７】
特に、プロセッサ１１０２は、
ＵＥのユーザ情報に基づいて、ＵＥが許可されたユーザであることを決定するようにさらに構成される。
【０１４８】
送信機１１０５は、ＭＭＥに接続されたサービングゲートウェイＳＧＷおよびホーム加入者サーバＨＳＳに対して、修正要求メッセージを別々に送信するようにさらに構成され、修正要求メッセージは、ＵＥの識別を含み、修正要求メッセージは、ＵＥとＵＥがアタッチされたＭＭＥとの間の対応関係をＵＥとサービングＭＭＥとの間の対応関係に修正するように、ＳＧＷまたはＨＳＳに要求するために使用され、
プロセッサ１１０２は、ＧＵＴＩをＵＥに再割り当てし、送信機１１０５を使用することによって、再割り当てされたＧＵＴＩをＵＥに送信するようにさらに構成され、したがって、ＵＥがサービングＭＭＥにアタッチされるようになる。
【０１４９】
本発明のこの実施形態はＭＭＥを提供する。ＵＥがアタッチされたＭＭＥが故障し、ＵＥのためにサービスを提供する基地局が故障を検出した後、基地局は、ＵＥのサービス要求メッセージをＭＭＥに送信する。ＭＭＥが、ＵＥがアタッチされたＭＭＥのバックアップＭＭＥであるとき、ＭＭＥは、ＵＥの識別情報に基づいて、ＭＭＥそれ自体の記憶域からＵＥのユーザ情報を獲得する。ＭＭＥが、ＵＥがアタッチされたＭＭＥのバックアップＭＭＥでない場合、ＭＭＥは、ＵＥがアタッチされたＭＭＥのバックアップＭＭＥに関する情報を獲得し、ＵＥのユーザ情報をバックアップＭＭＥに要求し、そして、ＭＭＥは、ＵＥのユーザ情報に基づいてＵＥのためにサービスを提供し、それにより、ＵＥのサービスは一度で成功できるようになり、ＨＳＳ輻輳を回避する効果が、ＨＳＳに登録要求を送信するのを遅延することによって達成され、それにより、サービス冗長効果が比較的低いという従来技術の問題を解決する。
【０１５０】
サービス冗長効果が比較的低いという従来技術の問題を解決するために、図１１を参照して、本発明の実施形態はＭＭＥをさらに提供し、ＭＭＥは、受信機１１０１、プロセッサ１１０２、バス１１０３、メモリ１１０４、および送信機１１０５を備え、
受信機１１０１は、ユーザ機器ＵＥがアタッチされたモビリティ管理エンティティＭＭＥが故障した後、第２世代モバイル通信技術２Ｇネットワークまたは第３世代モバイル通信技術３Ｇネットワークにおける回線交換ＣＳドメイン内のコアネットワークのネットワーク要素によって送信されたページング要求メッセージを受信するように構成され、ページング要求メッセージは、ＵＥの識別を含み、ページング要求メッセージは、ＵＥに対するＣＳＦＢページングまたは１ｘＣＳＦＢページングを開始することを要求するために使用され、サービングＭＭＥは、ＵＥがアタッチされたＭＭＥが故障したときに、ＵＥのためにサービスを提供するＭＭＥであり、ＵＥがアタッチされたＭＭＥ、およびサービングＭＭＥは、同じＭＭＥプールに配置されており、
プロセッサ１１０２は、バス１１０３を使用することによってメモリ１１０４内の命令を獲得することにより、ＵＥの識別に基づいて、ＵＥのユーザ情報を獲得し、
ユーザ情報に基づいて、ＵＥが配置されたトラッキングエリアを獲得し、送信機１１０５を使用することによって、トラッキングエリアにおいてページング要求を開始する。
【０１５１】
特に、受信機１１０１は、ＵＥがアタッチされたＭＭＥにより送信されたＵＥのユーザ情報およびＵＥの識別を受信するようにさらに構成され、
プロセッサ１１０２は、ＵＥのユーザ情報とＵＥの識別との間の対応関係を記録し、
ＵＥの識別に基づいて、ＵＥのユーザ情報であってサービングＭＭＥによって保存されたユーザ情報を獲得するように特に構成される。
【０１５２】
特に、送信機１１０５は、
ブロードキャスト要求メッセージをＭＭＥプール内の全てのＭＭＥに送信するようにさらに構成され、ブロードキャスト要求メッセージは、ＵＥの識別を含み、ブロードキャスト要求メッセージは、ＵＥのユーザ情報を獲得することを要求するために使用される。
【０１５３】
受信機１１０１は、ＵＥがアタッチされたＭＭＥのバックアップＭＭＥのブロードキャスト応答メッセージを受信するようにさらに構成され、ブロードキャスト応答メッセージは、ＵＥのユーザ情報を含む。
【０１５４】
本発明のこの実施形態はＭＭＥを提供する。ＵＥがＣＳＦＢ／１ｘＣＳＦＢの被呼ユーザとして使用され、ＵＥがアタッチされたＭＭＥが故障した後、ＵＥがフォールバックする２Ｇ／３ＧネットワークにおけるＣＳドメイン内のネットワーク要素が、ページング要求メッセージをＭＭＥに送信する。ＭＭＥは、ＭＭＥそれ自体から、またはＵＥがアタッチされたＭＭＥのバックアップＭＭＥから、ＵＥのユーザ情報を獲得し、ＵＥのユーザ情報から、ＵＥのトラッキングエリアに関する情報を獲得し、トラッキングエリアにおいてページング手順を開始し、したがって、ＵＥのＣＳＦＢ／１ｘＣＳＦＢモバイル着信呼サービスは一度で成功するようになり、それにより、サービス冗長効果が比較的低いという従来技術の問題を解決する。
【０１５５】
上記の説明は、本発明の特定の実現方式に過ぎず、本発明の保護範囲を限定することは意図されていない。本発明で開示された技術的範囲において当業者によって容易に想到されるいかなる変形または置換も、本発明の保護範囲内に入るものとする。したがって、本発明の保護範囲は、特許請求の範囲の保護範囲に従うものとする。
【図１】
0006487563.tif 000002
【図２】
0006487563.tif 000003
【図３】
0006487563.tif 000004
【図４】
0006487563.tif 000005
【図５】
0006487563.tif 000006
【図６】
0006487563.tif 000007
【図７】
0006487563.tif 000008
【図８】
0006487563.tif 000009
【図９】
0006487563.tif 000010
【図１０】
0006487563.tif 000011
【図１１】
0006487563.tif 000012